(57)【要約】【課題】メダルを投入することを条件に、遊技機内部空間に封入された遊技球を用いて遊技を行い、遊技結果が予め定められた特定結果になった場合に、賞としてメダルを払い出す遊技機において、労力を掛けずに封入球とメダルをきれいに保つことができるようにする。【解決手段】封入球の研磨を行う第１研磨部材２６２ａを有する第１研磨手段２６０と、メダルの研磨を行う第２研磨部材２６２ｂを有する第２研磨手段３００とを一体に備える。これにより、労力を掛けずに封入球とメダルをきれいに保てるとともに、第１研磨部材２６２ａの交換と第２研磨部材２６２ｂの交換が一度に行え、交換作業の効率が向上する。【選択図】図２
2008136540.tif 000002
【特許請求の範囲】
【請求項１】
メダルを投入することを条件に、遊技機内部空間に封入された遊技球を用いて遊技を行い、遊技結果が予め定められた特定結果になった場合に、賞としてメダルを払い出す遊技機において、
前記封入球に当接させることで封入球の研磨を行う第１研磨部材を有する第１研磨手段と、
前記メダルに当接させることでメダルの研磨を行う第２研磨部材を有する第２研磨手段と、が一体に設けられていることを特徴とする遊技機。
【請求項２】
前記遊技機は、本体枠と、該本体枠に開閉可能に取り付けられる前面枠と、を備え、
前記本体枠に、前記メダルを一列に整列させて移動するメダル移動路を有するメダル払出装置を備え、
前記前面枠に、
前記封入球を発射位置から遊技領域に発射して遊技を行う一方、遊技を終えた封入球を回収して発射位置に導いて遊技球を循環使用する循環経路と、
前記第１研磨手段と、
前記第２研磨手段と、を備え、
前記前面枠が前記本体枠に対して閉状態で、前記第２研磨部材と前記メダル移動路内のメダルとが当接し、前記前面枠が前記本体枠に対して開状態で、前記第２研磨部材と前記メダル移動路内のメダルとが離隔するように構成したことを特徴とする請求項１に記載の遊技機。
【請求項３】
前記第１研磨部材および前記第２研磨部材はテープ状に形成され、
未使用の前記第１研磨部材および前記第２研磨部材をロール状に巻いたロール部材を回転可能に保持する保持部と、
使用済みの前記第１研磨部材および前記第２研磨部材を巻き取る巻き取り装置と、を備え、
前記保持部と前記巻き取り装置の間で前記第１研磨手段および前記第２研磨手段が研磨を行うようにしたことを特徴とする請求項１または２に記載の遊技機。
【請求項４】
前記前面枠の開状態を検出する開状態検出手段と、
前記第２研磨部材を移動させる前記巻き取り装置と、
前記巻き取り装置を駆動制御する駆動制御手段と、
を備え、
前記第２研磨手段は、前記第２研磨部材をメダルに押圧するための押圧部材を、前後方向に移動可能で付勢部材により後方に付勢して設け、
前記駆動制御手段は、
前記開状態検出手段により前記前面枠が開状態から閉状態になったことを検出した場合に、前記巻き取り装置を作動させるようにしたことを特徴とする請求項３に記載の遊技機。
【請求項５】
前記遊技機は、本体枠と、該本体枠に開閉可能に取り付けられ、遊技盤を着脱可能な前面枠と、からなり、且つ、前記封入球を、発射位置から前記遊技盤の遊技領域に発射して遊技を行う一方、遊技を終えた封入球を回収して発射位置に導いて封入球を循環使用する循環経路を備え、
前記本体枠に、
前記循環経路の一部を構成し、前記封入球を揚送する封入球揚送路を有する封入球揚送装置と、
前記メダルを揚送するメダル揚送路を有するメダル払出装置と、
を備え、
前記封入球揚送路と前記メダル揚送路を隣接させて配設し、
前記第１研磨部材を押圧する第１押圧部材と、前記第２研磨部材を押圧する第２押圧部材とを互いに離隔する方向に付勢部材により付勢する押圧ユニットを構成し、
前記封入球揚送路と前記メダル揚送路との間に、前記第１研磨部材と前記第２研磨部材と前記押圧ユニットとを嵌め込むようにしたことを特徴とする請求項１に記載の遊技機。
【請求項６】
前記第１研磨部材と前記第２研磨部材とを一つの研磨部材により構成したことを特徴とする請求項１から５の何れか一項に記載の遊技機。
【請求項７】
前記研磨部材の一方の面が前記封入球を研磨し、前記研磨部材の他方の面が前記メダルを研磨するようにしたことを特徴とする請求項６に記載の遊技機。
【発明の詳細な説明】
【技術分野】
【０００１】
本発明は、メダルを投入することを条件に、遊技機内部空間に封入された遊技球を用いて遊技を行い、遊技結果が予め定められた特定結果になった場合に、賞としてメダルを払い出す遊技機に関する。
【背景技術】
【０００２】
従来、メダルの投入により、封入球による遊技を実行可能で、賞の成立によりメダルを払い出す遊技機がある（例えば、特許文献１参照）。また、封入球を研磨する研磨手段を備えた遊技機がある。また、島内に循環されたメダルやメダル計数機により計数されたメダルを研磨する研磨装置がある。
【特許文献１】特開２００２−１２６１８１号公報
【発明の開示】
【発明が解決しようとする課題】
【０００３】
しかし、各遊技機のメダル払い出しポッパー内に残ってしまい長い間磨かれないメダルは、非常に汚れてしまうという問題がある。また、各遊技機のポッパーにメダル研磨装置を設けるにはコストがかかってしまう。その上、研磨装置は所定期間ごとに研磨部材の交換が必要で、封入球の研磨部材とメダルの研磨部材との交換時期は異なり、遊技店に設置されている数百台もの遊技機の封入球の研磨部材とメダルの研磨部材とを交換するのは大変な労力が必要になる。
【０００４】
本発明の目的は、メダルを投入することを条件に、遊技機内部空間に封入された遊技球を用いて遊技を行い、遊技結果が予め定められた特定結果になった場合に、賞としてメダルを払い出す遊技機において、労力を掛けずに封入球とメダルをきれいに保つことができるようにすることである。
【課題を解決するための手段】
【０００５】
以上の課題を解決するため、請求項１に記載の発明は、メダルを投入することを条件に、遊技機内部空間に封入された遊技球を用いて遊技を行い、遊技結果が予め定められた特定結果になった場合に、賞としてメダルを払い出す遊技機において、
前記封入球に当接させることで封入球の研磨を行う第１研磨部材を有する第１研磨手段と、
前記メダルに当接させることでメダルの研磨を行う第２研磨部材を有する第２研磨手段と、が一体に設けられていることを特徴とする。
【０００６】
ここで、「第１研磨部材」、「第２研磨部材」は、遊技球やメダルの汚れを拭き取って磨くことができるものであれば、布や紙、スポンジなど何でも良い。
また、「第１研磨部材」、「第２研磨部材」は、自然流下により移動する遊技球やメダルに当接するようにしても良いし、揚送装置により移動する遊技球やメダルに当接するようにしても良い。
【０００７】
請求項１に記載の発明によれば、封入球の研磨を行う第１研磨部材を有する第１研磨手段と、メダルの研磨を行う第２研磨部材を有する第２研磨手段と、が一体に設けられているので、労力を掛けずに封入球とメダルをきれいに保つことができる。また、第１研磨部材の交換と前記第２研磨部材の交換が一度に行え、交換作業の効率が向上する。
【０００８】
請求項２に記載の発明は、請求項１に記載の遊技機であって、前記遊技機は、本体枠と、該本体枠に開閉可能に取り付けられる前面枠と、を備え、
前記本体枠に、前記メダルを一列に整列させて移動するメダル移動路を有するメダル払出装置を備え、
前記前面枠に、
前記封入球を発射位置から遊技領域に発射して遊技を行う一方、遊技を終えた封入球を回収して発射位置に導いて遊技球を循環使用する循環経路と、
前記第１研磨手段と、
前記第２研磨手段と、を備え、
前記前面枠が前記本体枠に対して閉状態で、前記第２研磨部材と前記メダル移動路内のメダルとが当接し、前記前面枠が前記本体枠に対して開状態で、前記第２研磨部材と前記メダル移動路内のメダルとが離隔するように構成したことを特徴とする。
【０００９】
請求項２に記載の発明によれば、前面枠が閉状態で第２研磨部材とメダルとが当接し、前面枠開状態で第２研磨部材メダルとが離隔するように構成したので、前面枠を開状態にすることにより、研磨部材の交換が容易にでき、交換作業の効率が向上する。
【００１０】
請求項３に記載の発明は、請求項１または２に記載の遊技機であって、前記第１研磨部材および前記第２研磨部材はテープ状に形成され、
未使用の前記第１研磨部材および前記第２研磨部材をロール状に巻いたロール部材を回転可能に保持する保持部と、
使用済みの前記第１研磨部材および前記第２研磨部材を巻き取る巻き取り装置と、を備え、
前記保持部と前記巻き取り装置の間で前記第１研磨手段および前記第２研磨手段が研磨を行うようにしたことを特徴とする。
【００１１】
請求項３に記載の発明によれば、第１研磨部材および第２研磨部材はテープ状に形成され、未使用の第１研磨部材および第２研磨部材をロール状に巻いたロール部材を回転可能に保持する保持部と、使用済みの第１研磨部材および第２研磨部材を巻き取る巻き取り装置とを備えるので、研磨部材を容易に交換でき、交換作業の効率が向上する。
【００１２】
請求項４に記載の発明は、請求項３に記載の遊技機であって、前記前面枠の開状態を検出する開状態検出手段と、
前記第２研磨部材を移動させる前記巻き取り装置と、
前記巻き取り装置を駆動制御する駆動制御手段と、
を備え、
前記第２研磨手段は、前記第２研磨部材をメダルに押圧するための押圧部材を、前後方向に移動可能で付勢部材により後方に付勢して設け、
前記駆動制御手段は、
前記開状態検出手段により前記前面枠が開状態から閉状態になったことを検出した場合に、前記巻き取り装置を作動させるようにしたことを特徴とする。
【００１３】
ここで「付勢部材」は、ばね、ゴム等である。
【００１４】
請求項４に記載の発明によれば、第２研磨手段は、第２研磨部材をメダルに押圧するための押圧部材を、前後方向に移動可能で付勢部材により後方に付勢して設けているので、確実にメダルを磨くことができる。
また、駆動制御手段は、開状態検出手段により前面枠が開状態から閉状態になったことを検出した場合に巻き取り装置を作動させるので、押圧部材の前後動に伴って発生する研磨部材のたるみを解消でき、メダルが詰まることを防止できる。
【００１５】
請求項５に記載の発明は、請求項１に記載の遊技機であって、前記遊技機は、本体枠と、該本体枠に開閉可能に取り付けられ、遊技盤を着脱可能な前面枠と、からなり、且つ、前記封入球を、発射位置から前記遊技盤の遊技領域に発射して遊技を行う一方、遊技を終えた封入球を回収して発射位置に導いて封入球を循環使用する循環経路を備え、
前記本体枠に、
前記循環経路の一部を構成し、前記封入球を揚送する封入球揚送路を有する封入球揚送装置と、
前記メダルを揚送するメダル揚送路を有するメダル払出装置と、
を備え、
前記封入球揚送路と前記メダル揚送路を隣接させて配設し、
前記第１研磨部材を押圧する第１押圧部材と、前記第２研磨部材を押圧する第２押圧部材とを互いに離隔する方向に付勢部材により付勢する押圧ユニットを構成し、
前記封入球揚送路と前記メダル揚送路との間に、前記第１研磨部材と前記第２研磨部材と前記押圧ユニットとを嵌め込むようにしたことを特徴とする。
【００１６】
請求項５に記載の発明によれば、封入球揚送路とメダル揚送路を隣接させて配設し、第１研磨部材を押圧する第１押圧部材と、第２研磨部材を押圧する第２押圧部材とを互いに離隔する方向に付勢部材により付勢する押圧ユニットを構成し、封入球揚送路とメダル揚送路との間に、第１研磨部材と第２研磨部材と押圧ユニットとを（付勢部材の付勢力に抗して第１押圧部材と第２押圧部材とを近づけて、）嵌め込むようにしたので、第１研磨部材を遊技球に第２研磨部材をメダルに確実に当接できる。また、第１研磨部材と第２研磨部材は、押圧ユニットにより嵌め込んでいるので、簡単な操作で研磨部材の着脱ができる。
【００１７】
請求項６に記載の発明は、請求項１から５の何れか一項に記載の遊技機であって、前記第１研磨部材と前記第２研磨部材とを一つの研磨部材により構成したことを特徴とする。
【００１８】
請求項６に記載の発明によれば、第１研磨部材と第２研磨部材とを一つの研磨部材により構成したので、一つの研磨部材を交換することで両方の研磨部材を交換でき、研磨部材の交換作業の効率が向上する。
【００１９】
請求項７に記載の発明は、請求項６に記載の遊技機であって、前記研磨部材の一方の面が前記封入球を研磨し、前記研磨部材の他方の面が前記メダルを研磨するようにしたことを特徴とする。
【００２０】
請求項７に記載の発明によれば、研磨部材の一方の面が封入球を研磨し、研磨部材の他方の面がメダルを研磨するようにしたので、研磨部材を有効に使用できる。また、研磨部材の交換頻度を長くできる。
【発明の効果】
【００２１】
本発明によれば、封入球の研磨を行う第１研磨部材を有する第１研磨手段と、メダルの研磨を行う第２研磨部材を有する第２研磨手段と、が一体に備えられているので、労力を掛けずに封入球とメダルをきれいに保つことができる。また、第１研磨部材の交換と前記第２研磨部材の交換が一度に行え、交換作業の効率が向上する。
【発明を実施するための最良の形態】
【００２２】
以下、この発明の実施形態について、図面を参照して説明する。
本実施形態の遊技機は、メダルを投入することを条件に遊技機内部空間に封入された遊技球を用いて遊技を行う遊技機であって、例えば、遊技内容等は、従来のアレンジボール遊技機やパチンコ遊技機と同様とすることが可能となっている。また、遊技機の外形等のサイズは、パチスロ遊技機のサイズと同等となっており、パチスロ遊技機が設置された現状の島設備に設置可能となっていて、島設備に球供給機構や球排出機構を設ける必要がない。なお、遊技機の外形等のサイズを、パチンコ遊技機のサイズと同等とし、パチンコ遊技機が設置された現状の島設備に設置可能としても良い。この場合は、島設備に設けられた球供給機構や球排出機構を使用しない。
【００２３】
図１，２に示すように、本実施形態の封入球式遊技機１００は、前面が開放した箱形の本体枠１１０（筐体）の内部にメダル払出装置１８０が設けられるとともに、この本体枠１１０の前面に、前面枠１２０が、片開き形式に開閉可能に設けられることで概略構成されている。
【００２４】
前面枠本体１３０は、前面枠１２０の各部材の取付ベースとなるものであって、矩形枠状の本体枠１１０の前面側をちょうど覆うような概略矩形板状に構成されるとともに、その中央から、前面側から見た左上部にかけて、図２に示すような遊技盤１を嵌め込んで収容するための方形状の開口部１３２が形成されている。また、図１に示すように、前面枠本体１３０の前面側から見た右側部分には、メダル投入口１６１やクレジット数を表示するクレジット数表示器１６５などを備えるメダルユニット１６０が設けられている。
【００２５】
また、前面枠本体１３０の遊技盤１が嵌め込まれた開口部１３２、すなわち、前面枠本体１３０の中央より少し下側から上端部に渡る部分であって、メダルユニット１６０を除く部分を覆ってクリア部材保持枠１４０が配置されている。そして、遊技盤１の前面と、クリア部材保持枠１４０に嵌め込まれたクリア部材としてのガラス板１４１裏面との間であって、遊技盤１の前面に設けられたガイドレールに囲まれた部分が、遊技球が発射されて流下する遊技領域とされている。
【００２６】
また、クリア部材保持枠１４０の一方の側部（左側部）は、前面枠本体１３０の一方の側部（左側部）に回動可能に軸支されて、扉状に開閉自在とされ、クリア部材保持枠１４０を開くことにより、遊技盤１の前面側の遊技領域の前側を開放可能となっている。また、前面枠本体１３０及びクリア部材保持枠１４０はそれぞれ周知のパチンコ遊技機等の弾球遊技機と同様に鍵穴１４２にキーを差して回転させることで閉じた状態にロック可能となっている。また、クリア部材保持枠１４０の前面側には、遊技領域の視認を妨げない位置に、サイドランプ１２、スピーカ１３，１３が設けられている。
【００２７】
前面枠本体１３０の遊技盤１が取り付けられる開口部１３２の下側となる前面枠本体１３０の下部は、その前面側に後述の前面操作ユニット１５０が取り付けられると共に、その裏面側に発射装置６０等が取り付けられる取付盤１３１となっている。また、取付盤１３１の前面側に取り付けられる前面操作ユニット１５０には、遊技領域に向けての遊技球の発射操作を行うための操作ハンドル１５２や下皿１５１が設けられている。
【００２８】
また、図２に示すように、前面枠本体１３０下部の取付盤１３１の裏面側には、発射装置６０が設けられている。この発射装置６０は、取付盤１３１に取り付けられる取付プレート６４と、取付プレート６４に取り付けられる発射レール（図示略）と、発射レール上の遊技球を打撃して遊技球を発射させる発射杵６６等を備える。そして、発射杵６６を発射モータ（ステッピングモータ）により回転駆動することにより、発射レール上の遊技球を打撃して遊技領域へ発射するようになっている。また、前面枠本体１３０下部の取付盤１３１の裏面側には、発射装置６０を制御する発射制御装置（図示略）、発射装置６０により遊技領域に発射された遊技球を回収して再び発射装置６０に供給する封入球循環装置２００が取り付けられている。この封入球循環装置２００の詳細な構成については後述する。
【００２９】
さらに、前面枠本体１３０下部の取付盤１３１の裏面側には、遊技盤１に取り付けられた装置を除く、前面枠１２０の封入球循環装置２００や外部とのデータの通信装置等を制御する枠制御装置８０が設けられている。また、枠制御装置８０の裏面側には、封入球式遊技機１００内の各装置に電力を供給する電源供給装置７０が取り付けられている。
【００３０】
また、遊技盤１の裏面側には、遊技内容に係わる制御を統括的に行う遊技制御装置２０及びその制御下で遊技の演出に係わる制御を行う演出制御装置５０が設けられている。従って、遊技内容の制御に関する制御装置は遊技盤１に設けられており、遊技盤１を交換することにより、遊技内容にかかわらない装置をそのまま流用して遊技内容だけを変更することが可能となっている。
【００３１】
前面枠本体１３０の前面側から見て、遊技盤１が取り付けられる開口部１３２の右側部分は、メダル投入口１６１やクレジット数を表示するクレジット数表示器１６５などを備えるメダルユニット１６０が設けられている。このメダルユニット１６０の前面側には、メダルを投入するメダル投入口１６１、メダルが払い出されるメダル払出口１６２、封入球式遊技機１００にメダルを補充するためのメダル補充口１６３が設けられている。また、払い出しが保留されているメダルの枚数を表示する未払出メダル数表示器１６４、クレジット数を表示するクレジット数表示器１６５、発生した賞メダルの枚数を表示する賞メダル数表示器１６６、遊技終了時に払い出しが保留されているメダルやクレジットを払い出させるための遊技終了ボタン１６７が設けられている。
【００３２】
メダル投入口１６１は、メダルを一枚ずつ通過可能なスリット状の開口部を有し、図１に示すように、メダルＭを遊技機１００の上下方向に沿って、左右方向に平行な状態で投入できるようになっている。また、メダル払出口１６２は、メダル投入口１６１と同じくメダルを一枚ずつ通過可能なスリット状の開口部を有し、図１に示すように、メダルＭを遊技機１００の上下方向に沿って、左右方向に平行な状態で排出できるようになっている。このメダル払出口１６２はメダル投入口１６１の直上にあり、かつ、両者の開口部が上下に一致するような位置に配されていて、メダル払出口１６２から払いだされたメダルが直接メダル投入口１６１に流入するようになっている。
【００３３】
また、メダル補充口１６３には、該メダル補充口１６３を開閉可能な扉部材１６３ａが設けられ、さらに扉部材１６３ａを施錠するための鍵穴１６３ｂが設けられている。また、未払出メダル数表示器１６４、クレジット数表示器１６５、賞メダル数表示器１６６には、７セグの表示装置が備えられている。
【００３４】
また、前面枠本体１３０の裏面側から見て、遊技盤１が取り付けられる開口部１３２の左側部分は、メダルユニット１６０を構成する部材が取り付けられる取付盤１３３とされている。この取付盤１３３の裏面側には、各種表示器を構成する表示装置１６８、メダル払出口１６２に連通するメダル払出口接続部１６９、メダル投入口１６１に投入されたメダルを選別するメダルセレクタ１７０、メダル補充口１６３に連通したメダル補充通路１７３が取り付けられている。
【００３５】
メダルセレクタ１７０は、メダル投入口１６１から受け入れたメダルを選別し、正規のメダルはメダル取込通路１７１に誘導し、それ以外のものは下皿連絡路１７２に誘導して下皿１５１に返却するようになっている。メダル取込通路１７１は、メダル払出装置１８０のメダルタンク１８１に向けて延出しており、メダル取込通路１７１を流下したメダルはメダルタンク１８１に流入し、貯留されるようになっている。また、メダル取込通路１７１には、流下するメダルを検出するメダル検出センサ（図示略）が備えられている。このメダル検出センサからの検出信号は枠制御装置８０に入力されるようになっており、この検出信号をカウントすることでメダルの投入枚数を計数できるようになっている。
【００３６】
また、メダル補充口１６３に連通するメダル補充通路１７３もメダル払出装置１８０のメダルタンク１８１に向けて延出しており、メダル補充口１６３から補充されたメダルがメダルタンク１８１に流入し、貯留されるようになっている。また、メダル払出口接続部１６９には、メダル払出装置１８０のメダル移動路１８３の下流側端部が接続するようになっており、これによりメダル払出装置１８０から排出されたメダルがメダル払出口１６２から排出されるようになる。
【００３７】
図３に示すように、本体枠１１０内に配されたメダル払出装置１８０は、メダルを貯留するメダルタンク１８１と、該メダルタンク１８１から所定数のメダルを排出する排出装置１８２と、該排出装置１８２から排出されたメダルを誘導するメダル移動路１８３とを備える。メダルタンク１８１は底へ行くに従って断面積が小さくなるような漏斗状に形成されており、メダル取込通路１７１、メダル補充通路１７３から流入したメダルが底部に集まるようになっている。また、図３（ｂ）に示すように、このメダルタンク１８１の底部には、メダルタンク１８１内のメダルを排出する排出装置１８２が設けられている。この排出装置１８２は駆動源としてのモータ１８４を備え、このモータ１８４を駆動することで、メダルタンク１８１内のメダルが一枚ずつメダル移動路１８３に送出されるようになっている。
【００３８】
排出装置１８２に接続されたメダル移動路１８３は、内部にメダルを通過可能な空間を有する筒状の部材である。このメダルが通過可能な空間は、メダルがメダル移動路１８３の延在方向に沿って一枚ずつ並んで移動するように、メダルの厚みと略同じ前後幅、かつ、メダルの直径と略同じ左右幅を有する断面形状を有している。また、図３（ａ）（ｂ）に示すように、メダル移動路１８３は、メダルタンク１８１の下部に設けられた排出装置１８２から、メダルタンク１８１に沿って斜め前方に延出するとともに、上方へ向かって延出している。さらに、下流側は円弧状に屈曲しており、全体として略Ｊ字型に形成されている。
【００３９】
図３（ｂ）に示すように、このメダル移動路１８３の上流側部分であって上下方向に沿って延在する直線部分は、メダルが垂直かつ封入球式遊技機１００の左右方向に平行な状態で移動するようになっている。また、円弧状に形成されたメダル移動路１８３の下流側部分は、下流側端部が最も前側に位置するように、斜め前方へねじれるように形成されている。そして、メダル移動路１８３の下流側端部は、本体枠１１０に対して前面枠１２０を閉じた状態とすると、ちょうどメダル払出口接続部１６９に接続するようになっている。また、図３（ａ）に示すように、メダル移動路１８３には、前面枠を閉鎖した状態で、後述する封入球循環装置２００に設けられた第２研磨手段３００と対向する位置に、メダル研磨開口部１８５が形成されており、ここから内部を移動するメダルＭの一部が外部に露出している。これにより第２研磨手段３００によってメダルを研磨できるようになっている。
【００４０】
図２に示すように、遊技盤１の裏面側に設けられた遊技制御装置２０は、ＣＰＵ、ＲＡＭ、ＲＯＭ等を有するアミューズチップ（図示略）を備え、例えば、特図や普図の変動表示ゲームに関連する各種乱数値などを生成している。各種乱数値には、特図変動表示ゲームの大当り判定用乱数値、普図変動表示ゲームの当たり判定用乱数値などが含まれ、この乱数値に基づいて遊技制御装置２０は、特図や普図の変動表示ゲームの当たり、外れ等のゲームの結果を決定している。
【００４１】
また、遊技制御装置２０には、Ｉ／Ｏを介して各入賞口のセンサが接続され、これらセンサからの遊技球の検出信号が入力されるようになっている。そして、入賞口のセンサからの入力に基づき賞球が発生することになるが、封入球式遊技機１００においては、賞球としての遊技球の払い出しを制御する排出制御装置に代えて、賞球に関する情報が遊技制御装置２０から枠制御装置８０に出力されるようになっている。また、遊技制御装置２０においては、各センサから入力される信号に基づいて、特図及び普図の変動表示ゲームの進行の制御が行われる。また、遊技制御装置２０は、Ｉ／Ｏを介してソレノイドなどの駆動源を制御し、特図や普図の変動表示ゲームの結果に基づいて、特別変動入賞装置や普通変動入賞装置の開閉を行う。また、遊技制御装置２０は、Ｉ／Ｏを介して枠制御装置８０及び演出制御装置５０などに遊技に関する各種データを遊技機情報として送信している。
【００４２】
演出制御装置５０は、ＣＰＵ、ＲＯＭ、ＲＡＭ等を備えるとともに、ビデオ制御用の各種ＩＣを備え、パチンコ遊技機において周知のものであり、遊技制御装置２０における特図の変動表示ゲームの進行の制御に基づいて、変動表示装置（表示ユニット）における特図の変動表示ゲームの表示制御や、それに伴う遊技盤１等に設けられたランプ、ＬＥＤ等の発光による演出制御等を行う。
【００４３】
枠制御装置８０は、ＣＰＵ、ＲＡＭ、ＲＯＭ等と、音データを記憶したＲＯＭや、音信号を生成する音ＬＳＩ、音信号を増幅してスピーカに出力するアンプ、Ｉ／Ｏ等により構成されている。この枠制御装置８０においては、封入球循環装置２００の制御や、サイドランプ１２などにおけるＬＥＤ等の電気的発光源の点灯・消灯・発光色の変更等の制御、演出用の音楽、効果音等の制御などを行う。
【００４４】
また、枠制御装置８０は、Ｉ／Ｏを介して、封入球循環装置２００に設けられた各センサ（例えば、供給球検出センサ２４６、待機球検出センサ２１３、回収球センサ２１４）からの信号が入力されるようになっている。また、メダルセレクタ１７０に設けられたメダル検出センサ（図示略）からの検出信号も入力されるようになっている。そして、枠制御装置８０は、これら各センサからの入力信号に基づき、持球数を算出する演算処理を行うようになっている。また、遊技制御装置２０から入力された賞球に関する情報に基づき賞メダル数を算出して払い出す処理や、未払出メダルとして記憶する処理が行われるようになっている。これにより、枠制御装置８０においては、入球数、出球数（賞球数）、差球数、持球数を算出することが可能となる。また、枠制御装置８０は、持球数が１以上の場合に発射球の発射を許可し、持球数が０の場合に発射を禁止する制御信号を発射制御装置（図示略）に出力し、持球数に基づく発射制御装置の制御を行うようになっている。
【００４５】
発射制御装置は、ＣＰＵ、発射モータのドライバ回路、Ｉ／Ｏを備えており、Ｉ／Ｏには、操作ハンドル１５２、球送り電磁石２４４が接続され、ドライバ回路には発射モータが接続されている。そして、発射制御装置は、枠制御装置８０からの発射許可の制御信号を受信した状態で、操作ハンドル１５２の操作（回動角度）に基づく信号レベルにより、発射装置６０における遊技球の発射勢を制御する。また、操作ハンドル１５２に設けられたタッチセンサにおいて遊技者の手が検出された場合に、発射モータを制御して所定の時間間隔毎に遊技球を順次発射する制御を行う。また、発射制御装置は、発射装置６０による遊技球の発射のタイミングに合わせて、球送り電磁石２４４を作動させて、封入球循環装置２００から発射装置６０に遊技球を供給する制御を行う。
【００４６】
以上のような構成を有する遊技機１００は、メダル投入口１６１へのメダルの投入により遊技価値情報（例えば、クレジットデータ）を発生し、クレジットとしてクレジット数表示器１６５に表示するようになっている。このクレジットは所定数（例えば３枚）まで遊技機１００に記憶され、以降のゲームで使用できるようになっている。また、クレジットとして記憶可能な所定数を超えるメダルが投入された場合は、下皿１５１に返却されるようになっている。
【００４７】
メダルの投入により発生した遊技価値情報は、遊技に使用可能な遊技球数（遊技媒体数）である持球数データに変換（例えば、メダル１枚につき遊技球５個）され、この持球数データに対応して封入された遊技球が遊技領域に発射可能となる。そして、遊技球を発射すると発射された遊技球数に対応して持球数データが減算され、持球数データが０となると遊技球の発射ができない状態となる。
【００４８】
また、発射された遊技球が各種入賞口や変動入賞装置等の入賞具に入賞して賞球（遊技球）が発生した場合は、実際の遊技球を払い出すことなく、賞メダル数データに変換（例えば、遊技球（賞球）５個につきメダル１枚）し、賞メダル数表示器１６６に表示する。そして、賞メダル数データは、未払出メダルデータに加算され、未払出メダル数表示器１６４に表示されるようになっている。
【００４９】
すなわち、封入球式遊技機１００は、遊技者の保有する持球数データにより遊技可能になり、発射により持球数データから減算処理するものである。また、発射された遊技球は、遊技領域に至って一部は、入賞領域に入賞して遊技盤１の裏面側に導かれてセーフ球として回収されると共に、残りの入賞しなかった遊技球はアウト球として回収され、これら回収された遊技球が循環流路を通って再び発射可能な状態となるようになっており、遊技球は封入球式遊技機１００内で循環するようになっている。また、ファールとなった遊技球も循環流路に回収されると共に、ファールとなった遊技球は遊技に係わることなく（入賞の機会を得ることなく）、回収されて再び発射可能とされるので、ファール球の発生に基づき、持球数データにファール球数が加算される。
【００５０】
また、未払出メダルは所定数（例えば５０枚）まで遊技機１００に記憶されるようになっており、未払出メダルとして記憶可能な所定数を超える賞メダルが発生した場合は、下皿１５１に払い出されるようになっている。また、未払出メダルがある状態で、クレジットが所定値（例えば２枚）以下となると、メダル払出口１６２から所定数（例えば１枚）のメダルが払い出されるとともに未払出メダルデータが減算されるようになっている。メダル払出口１６２はメダル投入口１６１の直上にあり、メダル払出口１６２から払い出されたメダルはそのままメダル投入口１６１に流入するようになっている。すなわち、遊技者が特別の操作をしなくても未払出メダルがなくなるまで遊技を継続可能となっている。また、未払出メダルがある状態で遊技を終了する場合は、遊技終了ボタン１６７を押すことで未払出メダルが下皿１５１に高速に排出されるようになっている。
【００５１】
次に、封入球式遊技機１００内で遊技球を循環させる封入球循環装置２００の構成について説明する。封入球循環装置２００は、所定数の遊技球が封入されており、発射装置６０によって遊技領域に発射された遊技球を回収、循環し、再び発射装置６０に供給するものである。この封入球循環装置２００は、図２に示すように、封入球式遊技機１００の裏面側となる前面枠本体１３０の裏面側に取付部材２０９，２０９によって取り付けられて、上述の発射装置６０の背面側を覆うように配されている。なお、前面枠本体１３０の下部となる取付盤１３１は、その主要部となるほぼ垂直な平板部分が、前面枠本体１３０に固定された遊技盤１より前となるように構成されており、取付盤１３１の裏面に取り付けられる上述の発射装置６０が遊技盤１より前面側の遊技領域の略真下に配置されるようになっている。
【００５２】
図２、４から８に示すように、この封入球循環装置２００の主要部は前側を形成する前壁部材２０１と、後側を形成する後壁部材２０２とから概略箱状に形成されており、上端部に各種の入賞口（例えば、特別変動入賞装置、一般入賞口、普通変動入賞装置）に入賞することなく流下したアウト球および各種の入賞口に入賞し、セーフ球排出経路を流下したセーフ球としての遊技球を回収する球回収部２０３（図２に図示）が接続されている。また、この球回収部２０３に連通するように、封入球循環装置２００の内部には回収された遊技球が流下する循環経路２１０が形成されている。さらに、封入球循環装置２００には、ファール球としての遊技球を回収する図示しないファール球回収部が形成され、ここで回収されたファール球も循環経路２１０に流入するようになっている。
【００５３】
図６，７に示すように、循環経路２１０は、封入球循環装置２００の前壁部材２０１、後壁部材２０２と、前壁部材２０１の後面に垂直に形成された板状の流路構成部材２０４によって形成された筒状の流路で、遊技球の直径よりも若干大きい内径を有し、遊技球が一列に循環経路２１０の延在方向に沿って重なり流下するようになっている。この循環経路２１０は、遊技球を上方へ揚送するための揚送路２６１を備えた後述の第１研磨手段２６０を挟んで、裏面側から見て左側（発射装置６０と反対側）が球回収部２０３で回収された遊技球を流下案内する案内流路２１２とされ、右側が発射位置に送られる前の遊技球を所定数待機させる待機流路２１１とされている。
【００５４】
案内流路２１２は、左右に蛇行して上下に折り重なるように形成されており、下流側部分となる最下段の流路は、封入球循環装置２００の裏面側から見て、左端で折り返して右側へ（中央側へ）下るように傾斜した流路となっている。この案内流路２１２の上端部は、封入球循環装置２００の上端部に開口し、球回収部２０３と連通している。また、この案内流路２１２の下流側端部は、第１研磨手段２６０の揚送路２６１の下端部に接続するようになっている。後述するようにこの揚送路２６１は、案内流路２１２よりも後方に位置するように形成されていることから、案内流路２１２の下流側端部は後壁部材２０２に形成された斜め後方流下部２７２ａによって後方へ突出するように形成されている。また、前壁部材２０１の後面には、案内流路２１２の下流側端部となる部分に、下流側へ向かって後方へ突出する誘導リブ２１５が形成され、これによって、流下する遊技球は斜め後方流下部２７２ａへ誘導されて揚送路２６１へ流入する。
【００５５】
第１研磨手段２６０は、揚送路２６１と、遊技球を上方へ揚送するための揚送部材２８０、該揚送部材２８０を駆動する駆動源としてのモータ２８５、球を磨く研磨部材２６２、を備えている。この第１研磨手段２６０の詳細については後述するが、案内流路２１２から揚送路２６１に流入した遊技球は揚送路２６１の上端部に揚送され、揚送路２６１の上端部に接続した待機流路２１１に流入するようになっている。
【００５６】
待機流路２１１も案内流路２１２と同様に左右に蛇行して上下に折り重なるように形成されている。この待機流路２１１の上流側端部は、待機流路２１１よりも後方に位置する揚送路２６１に接続するように、後壁部材２０２に形成された斜め前方流下部２７３ａによって後方へ突出するように形成されている。また、前壁部材２０１の後面には、待機流路２１１の上流側端部となる部分に、下流側へ向かって後方への突出幅が小さくなる誘導リブ２１６が形成され、これによって遊技球は、斜め前方流下部２７３ａを通って揚送路２６１よりも前側に位置する待機流路２１１へ誘導されるようになっている。
【００５７】
また、待機流路２１１の下流側部分となる最下段の流路は、封入球循環装置２００の裏面側から見て右側へ下るように傾斜した流路となっており、下流側端部は、封入球循環装置２００の下端部に近接した位置にあって、発射装置６０に遊技球を供給するための球送り装置２４０に接続している。また、待機流路２１１の下流側部分には、循環経路２１０内の遊技球を抜き取るための球抜き装置２３０が設けられている。なお、待機流路２１１の下流側部分には、封入球式遊技機１００の遊技中（遊技球を順次発射し、遊技領域に数個以上の遊技球が流下している状態）及び非遊技中（遊技球を発射していない状態）に係わらず遊技球が待機した状態とされ、遊技球の発射毎に待機していた遊技球が順次遊技球の直径となる距離だけ下方に移動するようになっている。
【００５８】
すなわち、案内流路２１２を左右方向に蛇行させて形成するとともに、待機流路２１１を左右方向に蛇行させて形成したこととなる。
【００５９】
また、封入球循環装置２００には、遊技球を検知する種々のセンサとして、発射球を検出する供給球検出センサ２４６、球回収部２０３で回収された遊技球を検出する回収球センサ２１４、待機流路２１１内に待機する遊技球の不足を検出する待機球検出センサ２１３等が備えられている。
【００６０】
また、循環経路２１０の長さは、封入球式遊技機１００内で循環する遊技球の全てを貯留可能な長さとされており、遊技球の発射を止めた状態で、循環経路２１０内に循環使用される遊技球をすべて収容した状態となる。また、循環使用される遊技球の個数は、遊技球を順次発射した際に、遊技球の回収が間に合わずに、遊技の発射ができない状態となることがない個数（例えば、３５個）とされている。
【００６１】
図６，７に示すように、球送り装置２４０は、循環経路２１０（待機流路２１１）の下流側端部に設けられ、傾斜により待機流路２１１上に一列に並んで待機する遊技球の荷重による遊技球の傾斜下側への移動を規制する規制壁２４１を備える。また、上述のように並んだ遊技球の最も傾斜下側の遊技球を一個だけ受ける球受け部２４２と、球受け部２４２で保持された遊技球を規制壁２４１を乗り越える高さまで上昇させる球送り部材２４３と、球送り部材２４３を昇降駆動する球送り電磁石２４４とを備える。さらに、規制壁２４１の球受け部２４２の反対側に形成され、規制壁２４１を乗り越えた遊技球を発射装置６０（発射レール上）に導出するための供給流路２４５と、供給流路２４５を通過する遊技球を検知する供給球検出センサ２４６と、供給流路２４５（封入球循環装置２００）の遊技球の発射装置６０への導出口となる球供給口２４７とを備える。
【００６２】
規制壁２４１は、傾斜した待機流路２１１上に並んだ遊技球の最も傾斜下側の遊技球を止め、規制壁２４１を乗り越えた遊技球だけを発射装置６０に流下させる供給流路２４５に移動可能とするものである。この規制壁２４１は、遊技球の半径程度の高さ（最も下に位置する球送り部材２４３の後述の球保持部２４３ａの上面からの高さ）を有し、上端部が待機流路２１１側に屈曲したＬ字形板状に形成されていて、待機流路２１１側に突出する先端部２４１ａが遊技球に当接することで、遊技球を球受け部２４２内（球送り部材２４３の球保持部２４３ａ上）に係止するようになっている。また、球受け部２４２は、規制壁２４１と直角に接合された状態の保持部底壁２４８を備え、規制壁２４１と保持部底壁２４８とがＬ字状となっている。
【００６３】
球送り部材２４３は、球受け部２４２の保持部底壁２４８上に配置されて、球受け部２４２に流入した遊技球を保持する球保持部２４３ａを備え、かつ、左右と後方側が開放したコ字状（チャネル状）に形成され、遊技球を遊技機１００の後方から見て左から右に通過させられるようになっている球保持部形成部２４３ｂを有する。なお、球保持部２４３ａは、コ字状の球保持部形成部２４３ｂの底部となる部分である。
【００６４】
また、球送り部材２４３は、球保持部形成部２４３ｂの上端部に、左右方向に沿って右方向（待機流路２１１が形成された側と反対側）に延出するアーム部２４３ｃを有する。アーム部２４３ｃの球保持部形成部２４３ｂが接続していない一端部は、球送り電磁石２４４の下部に延出する係合部２４４ａに回動可能に係合するようになっている。さらに、アーム部２４３ｃの上面であって、球送り電磁石２４４と対向する部分には、磁石が吸着可能な材質（例えば、鉄）からなる吸着片２４３ｄが設けられている。また、アーム部２４３ｃが球送り電磁石２４４の一部分に係合した部分の近傍には、アーム部２４３ｃの下方向への移動を規制する規制片２４３ｅが形成されている。
【００６５】
そして、アーム部２４３ｃは、球送り電磁石２４４が吸着片２４３ｄの吸着、解放を繰り返すことで、球送り電磁石２４４の係合部２４４ａに係合した部分を中心として、図６に示すように、吸着片２４３ｄが球送り電磁石２４４に吸着された位置と、図７に示すように、球保持部２４３ａの下面が保持部底壁２４８に接する位置との間の範囲で上下方向に回動することとなる。また、アーム部２４３ｃが回動するのに伴い、アーム部２４３ｃの一端にある球保持部形成部２４３ｂ（球保持部２４３ａ）は、上下に移動することとなる。アーム部２４３ｃがその回動範囲における上限となる位置にあるとき、すなわち、吸着片２４３ｄが球送り電磁石２４４に吸着された位置では、球保持部２４３ａの上面が、規制壁２４１の上端と略同じ高さになるようにされている。また、アーム部２４３ｃがその回動範囲における下限となる位置にあるとき、すなわち、球保持部２４３ａの下面が保持部底壁２４８に接する位置では、球保持部２４３ａの遊技球が載る上面が、待機流路２１１の下流側端部に連続して遊技球を受け入れ可能な位置となるようにされている。
【００６６】
すなわち、球送り部材２４３は、球保持部形成部２４３ｂの球保持部２４３ａの遊技球が載る上面が待機流路２１１の下流側端部に連続して遊技球を受け入れ可能な位置と、球保持部２４３ａの上面が規制壁２４１の上端と略同じ高さとなる位置との間を昇降自在とされていることとなる。なお、球送り装置２４０が作動していない状態においては、球送り部材２４３のアーム部２４３ｃが、回動範囲における下限となる球保持部２４３ａの下面が保持部底壁２４８に接した状態となるようにされており、遊技球を球保持部２４３ａに受け入れた状態で停止するようになっている。
【００６７】
また、球保持部２４３ａの上面は、裏面側から見て左から右に下るように傾斜し、待機流路２１１から球受け部２４２に配置された球送り部材２４３の球保持部２４３ａ上に流入した遊技球は、球保持部２４３ａ上でその傾斜により規制壁２４１側によって規制壁２４１に接触した状態となるようになっている。そして、図６に示すように、球送り部材２４３が球送り電磁石２４４により上昇させられ、球保持部２４３ａの上面が、規制壁２４１の上端と略同じ高さとなる位置に達した際に、球保持部２４３ａ上の遊技球が球保持部２４３ａの傾斜によって規制壁２４１を越えて供給流路２４５側に流下するようになっている。なお、球保持部２４３ａの一側端（待機流路２１１に臨む端部）は、上昇した場合に、待機流路２１１上で次に球送り部材２４３に送られる遊技球が球送り部材２４３の下に入り込むことがないように、待機流路２１１の最も下流側で待機する遊技球の直径より高く上がらないようになっている。そして、球保持部２４３ａが上昇した状態では、この次に球送り部材２４３に送られる遊技球が球保持部２４３ａの一側端に当接した状態となる。
【００６８】
ここで、球保持部２４３ａ上にある遊技球は、図７に示すように、規制壁２４１の待機流路２１１側に突出した先端部２４１ａに当接しているので、その一部が球保持部２４３ａの一側端（待機流路２１１に臨む端部）よりも待機流路２１１側に突出した状態となっている。よって、図６に示すように、球保持部２４３ａが上昇して、次に球送り部材２４３に送られる遊技球が球保持部２４３ａの一側端に当接した状態になると、球保持部２４３ａ上にある遊技球が上方に押し上げられ、より容易に規制壁２４１を越えられるようになっている。
【００６９】
球送り電磁石２４４は、アーム部２４３ｃの上面に設けられた吸着片２４３ｄを吸着可能な電磁石を備えるとともに、その一部分にアーム部２４３ｃの一端を回動可能に係合する下方に延出した係合部２４４ａを有する。この球送り電磁石２４４は、発射制御装置により発射装置６０と同期して制御され、発射装置６０が遊技球を発射した直後に、吸着片２４３ｄの吸着、解放を行うことで球送り部材２４３を昇降させ、遊技球を発射装置６０に送るようになっている。なお、球送り部材２４３は係合部２４４ａを中心に回動するように上下動するので、球送り電磁石２４４の吸着片２４３ｄを吸着する吸着面は、係合部２４４ａを中心とした円の半径に沿うように斜めに配されている。
【００７０】
供給流路２４５は、規制壁２４１を挟んで球保持部形成部２４３ｂが配される側の反対側に形成され、規制壁２４１に沿って遊技球をほぼ真下に流下させた後に、前方に案内して、前方の球供給口２４７から遊技球を封入球循環装置２００の前側の発射装置６０側に導出するようになっている。また、供給流路２４５には、供給流路２４５を流下する遊技球を検出する供給球検出センサ２４６が設けられている。なお、供給球検出センサ２４６に検出された遊技球は、検出直後に発射装置６０に供給されて発射されるので、供給球検出センサ２４６は、発射装置６０の手前側であるが、遊技球の発射を検出する発射球センサも兼ねるものとなっている。
【００７１】
以上のような球送り装置２４０は、遊技球が規制壁２４１を乗り越えるように僅かに上昇させることにより、遊技球を一個ずつ発射装置６０に供給するようになっており、遊技球を傾斜に沿って流下させた状態で下側に一個ずつ排出する構造とした場合に比較して、球送り装置２４０の多くの部分が待機流路２１１に対して下側に配置されることがなく、球送り装置２４０が待機流路２１１より下側となることで、封入球循環装置２００の上下長さが長くなるのを防止し、封入球循環装置２００を小型化することができる。特に、封入球循環装置２００の上下幅を短くすることができる。
【００７２】
また、球送り装置２４０は、遊技球を規制壁２４１を乗り越えさせるために、その直径程度の長さだけ上昇させるものであり、遊技球を長い距離に渡って揚送するものではなく、封入球循環装置２００の循環経路２１０に最低限必要とされる上下幅の範囲内で十分に収容でき、確実に封入球循環装置２００の上下幅を短くすることができる。また、球送り装置２４０は、球送り電磁石２４４が球送り部材２４３を吸着するだけの簡単な構造であり、トラブルが発生する可能性が極めて低い。
【００７３】
図４から６に示すように、循環経路２１０（待機流路２１１）の下流側端部に隣接する球送り装置２４０の後面側には、遊技球を封入球循環装置２００から抜き出す球抜き装置２３０が設けられている。この球抜き装置２３０は、後壁部材２０２に形成された球抜き開口部２３１と、これを開閉する板状の蓋部材２３２とを有する。球抜き開口部２３１は、後壁部材２０２における球送り部材２４３の球保持部形成部２４３ｂと対向する位置に設けられており、その大きさは、遊技球１個が通過できる程度の大きさである。
【００７４】
この球抜き開口部２３１を開閉するための蓋部材２３２が、球抜き開口部２３１を外側から覆うように設けられている。この蓋部材２３２は、球抜き開口部２３１を覆うことのできる大きさを有する蓋部２３２ａと、該蓋部２３２ａの下端部に形成された把持部２３２ｂと、把持部２３２ｂの一側端に形成された嵌合部２３２ｃとを有している。そして、嵌合部２３２ｃを後壁部材２０２の後面に球抜き開口部２３１と隣接して形成された後方へ突出する円柱状の軸部２３１ａに嵌合し、軸部２３１ａの後端にねじ２３３を螺合して嵌合部２３２ｃが抜けないようにすることで後壁部材２０２対して回動可能に取り付けられている。この蓋部２３２ａが球抜き開口部２３１を閉じた状態では、蓋部２３２ａの下端部が球抜き開口部２３１の下端に形成された後方へ突出する段部２３１ｂ上に載って係止された状態となり、この状態から軸部２３１ａを中心に上方へ回動させることで球抜き開口部２３１を開放することができる。
【００７５】
また、上述の球保持部２４３ａの上面は裏面側から向かって左から右に下るように傾斜しているが、後方へ向かって下る傾斜ともなっている。すなわち、球保持部２４３ａの上面は、封入球循環装置２００の裏面側から見て、左前方から右後方に下るように傾斜している。よって、蓋部材２３２を開放すれば、球保持部２４３ａ上の遊技球はその傾斜に沿って自然に球抜き開口部２３１から外部に流出する。さらに、待機流路２１１内の遊技球も続いて外部に流出し、封入球循環装置２００内の遊技球を抜き取れるようになっている。なお、循環経路２１０の途中に第１研磨手段２６０が設けられていることから、封入球循環装置２００内のすべての遊技球を抜き取るには、揚送部材２８０を動作させて揚送路２６１および案内流路２１２内の遊技球を待機流路２１１に送る必要がある。以上のような球抜き装置２３０は、封入球式遊技機１００内に封入された遊技球を係員等の外部操作により取り出すためのもので、封入球式遊技機１００のメンテナンス、遊技球の交換などのために、封入球式遊技機１００から遊技球を取り出すために用いられる。
【００７６】
図２、４から６に示すように、案内流路２１２と待機流路２１１との間に設けられた第１研磨手段２６０は、揚送路２６１と、遊技球を上方へ揚送するための揚送部材２８０、該揚送部材２８０を駆動する駆動源としてのモータ２８５、球を磨く研磨部材２６２を備えている。第１研磨手段２６０は、封入球循環装置２００の前壁部材２０１および前壁部材２０１に形成された流路構成部材２０４、後壁部材２０２および後壁部材２０２に取り付けられた押圧部材２６８から構成された、上下方向に延在する空間である揚送路形成部２６４に配されるようになっており、この揚送路形成部２６４の前側部分に揚送部材２８０が収容され、後側部分が揚送路２６１とされている。
【００７７】
前壁部材２０１および流路構成部材２０４によって形成される揚送路形成部２６４の前側部分は、後方へ開口する矩形箱状の空間とされている。この揚送路形成部２６４の後方から見た左側の側面における下端部は、案内流路２１２の下流側端部と連通するように形成され、右側の側面における上端部は、待機流路２１１の上流側端部と連通するように形成されている。また、この揚送路形成部２６４には後述する揚送部材２８０が収容されるようになっており、上端部には揚送部材２８０の回転軸２８４を軸支する軸受部２６５が形成され、下端部には回動軸（図示略）を下部に設けられたモータ２８５に接続可能に貫通させる貫通部２６６が形成されている。
【００７８】
揚送部材２８０は、円柱状の揚送部材本体２８１の周面にらせん状に溝２８２が形成されたスクリュー部材（スパイラル歯車状の部材）である。この揚送部材２８０は、円柱状の揚送部材本体２８１の中心軸が揚送路形成部２６４の延在方向（上下方向）に沿うように配され、ちょうど揚送路形成部２６４の前側部分に収容されるようになっている。また、らせん状に溝２８２が形成された周面における中心軸に沿った方向の長さは、揚送路２６１と等しい長さとなっている。すなわち、揚送路２６１の前側の側面全体にわたって揚送部材２８０が配されるようになっている。
【００７９】
また、揚送部材２８０の上端面からは、円柱状の揚送部材本体２８１の中心軸に沿った回転軸２８４が突出している。この回転軸２８４は、揚送路形成部２６４の上部に形成された軸受部２６５に回動可能に軸支されるようになっている。また、揚送部材の下端部は、貫通部を通して下部に設けられたモータ２８５の図示しない駆動軸と接続可能とされ、これにより、モータ２８５を駆動することで揚送部材２８０が回転駆動されるようになる。
【００８０】
揚送部材２８０の周面に形成されたらせん状の溝２８２は、右ねじと逆の向きに形成されており、下側から見て時計回り方向に回転することで、揚送路２６１の側面において溝２８２が上方へ移動するようになる。これによって、溝２８２に嵌った遊技球が上方へ揚送される。なお、揚送部材２８０に形成されたらせん状の溝２８２における断面の曲率は、遊技球の曲率と略等しくされて確実に遊技球を保持できるようになっており、後述するように研磨部材２６２が遊技球に押し付けられた状態でも遊技球を移送できるようになっている。また、ピッチは遊技球の直径よりも広くされており、遊技球を所定の間隔をおいて揚送できるようになっている。
【００８１】
揚送部材２８０を駆動する駆動源としてのモータ２８５は、封入球循環装置２００の前壁部材２０１における揚送路形成部２６４の下側に形成された駆動源配設部２０６に配されている。この駆動源配設部２０６は下方に開口した切欠き状に形成されていて、ここに保持部材２８６に保持された状態でモータ２８５が収容されるようになっている。このモータ２８５を保持する保持部材２８６には、ねじ止め部２８７が形成されており、ねじによって前壁部材２０１の所定位置に固定できるようになっている。また、前壁部材２０１に取り付けられた状態のモータ２８５は、前壁部材２０１よりも後方へ突出した状態となるが、この突出した部分は後壁部材２０２に形成された駆動源取付部２６７に収容されるようになっている。
【００８２】
図４，６に示すように、後壁部材２０２および押圧部材２６８によって形成される揚送路形成部２６４の後側部分は、後壁部材２０２に形成された貫通孔２７０と、この貫通孔２７０の後方を塞ぐように取り付けられた押圧部材２６８によって前側に開口する矩形箱状の空間とされている。そして、この矩形箱状の空間が揚送路２６１をなす。
【００８３】
貫通孔２７０は、後壁部材２０２を前後に貫通するように形成されているとともに、後壁部材２０２の後面側に周縁に沿って後方へ突出する周囲壁を備えている。この周囲壁のうち、下部に形成された下部周囲壁２７２は、案内流路２１２の下流側端部を案内流路２１２よりも後方に位置する揚送路２６１と接続するための後方へ突出する斜め後方流下部２７２ａを有している。さらに、斜め後方流下部２７２ａに形成された案内流路２１２の流出口と揚送路２６１を挟んで対向するように、斜め後方流下部２７２ａを通って揚送路２６１に流入した遊技球を上方へ誘導するように湾曲した湾曲部２７２ｂを有している。また、上部に形成された上部周囲壁２７３は、待機流路２１１の上流側端部を、待機流路２１１よりも後方に位置する揚送路２６１と接続するための後方へ突出する斜め前方流下部２７３ａを有している。さらに、斜め前方流下部２７３ａに形成された待機流路２１１の流入口と揚送路２６１を挟んで対向するように、揚送路２６１から待機流路２１１へ遊技球を誘導するように湾曲した湾曲部２７３ｂを備える。
【００８４】
また、下部周囲壁２７２における湾曲部２７２ｂの外側の周面および上部周囲壁２７３における湾曲部２７３ｂの外側の周面には、押圧部材２６８を取り付けるボス状の第１ガイド部材２７２ｃ、第２ガイド部材２７３ｃが形成されている。すなわち、第１ガイド部材２７２ｃは、案内流路２１２の下流端部と揚送路２６１を挟んで反対側に設けられ、第２ガイド部材２７３ｃは、待機流路２１１の上流端部と揚送路２６１を挟んで反対側に設けられている。この第１ガイド部材２７２ｃ、第２ガイド部材２７３ｃによって、後述する押圧部材２６８が前後動可能に取り付けられるようになっている。
【００８５】
また、周囲壁における上部周囲壁２７３、下部周囲壁２７２以外の部分である、貫通孔２７０の左右側部に沿って形成された側壁をなす側部周囲壁２７４，２７４は、上部周囲壁２７３、下部周囲壁２７２よりも後方への突出幅が小さくなっており、後述するようにこの後端部と押圧部材２６８との間に研磨部材２６２を配設可能とされている。また、後壁部材２０２の後面には、側部周囲壁２７４，２７４の外側の面に対して垂直に連続するように後方へ突出する案内リブ２７５，２７５，…が形成されている。この案内リブ２７５，２７５，…は、側部周囲壁２７４，２７４と接続した部分では略側部周囲壁２７４，２７４の突出幅と同じ突出幅を有し、側部周囲壁２７４，２７４から離れるにしたがって後方への突出幅が小さくなるように形成されている。これにより後壁部材２０２の後面に沿うように配される研磨部材２６２を、後壁部材２０２の後面より後方に位置する押圧部材２６８の前面に滑らかに沿わせることができる。
【００８６】
押圧部材２６８は、貫通孔２７０の貫通部分の形状に合わせて形成された押圧部２６８ａを有し、押圧部２６８ａの側部には、周囲壁に形成された第１ガイド部材２７２ｃ、第２ガイド部材２７３ｃと対応する位置に、側方へ突出する第１被ガイド部２６８ｂ、第２被ガイド部２６８ｃが形成されている。
【００８７】
第１被ガイド部２６８ｂには第１ガイド部材２７２ｃを挿通可能な第１ガイド孔２６８ｄが形成されており、第２被ガイド部２６８ｃには第２ガイド部材２７３ｃを挿通可能な第２ガイド孔２６８ｅが形成されている。そして、この第１ガイド孔２６８ｄ、第２ガイド孔２６８ｅにそれぞれボス状の第１ガイド部材２７２ｃ、第２ガイド部材２７３ｃを挿通することで、押圧部材２６８が後壁部材２０２に対して前後方向に沿って案内されて移動可能な状態となる。さらに、付勢部材、押圧部材としての圧縮コイルばね２６９，２６９を、第１被ガイド部２６８ｂ、第２被ガイド部２６８ｃの後方側から、第１ガイド孔２６８ｄ、第２ガイド孔２６８ｅに挿通されて後方に貫通した第１ガイド部材２７２ｃ、第２ガイド部材２７３ｃの後端部を挿通する状態で取り付け、その後方から第１ガイド部材２７２ｃ、第２ガイド部材２７３ｃの後端部にねじ２７１，２７１を螺合する。
【００８８】
これにより、第１被ガイド部２６８ｂ、第２被ガイド部２６８ｃと、第１ガイド部材２７２ｃ、第２ガイド部材２７３ｃの後端部に螺合したねじ２７１との間に圧縮コイルばね２６９が配され、押圧部材２６８が後壁部材２０２に対して前後動可能で、かつ、前方向へ押圧された状態で取り付けられる。なお、第１被ガイド部２６８ｂ、第２被ガイド部２６８ｃが、上部周囲壁２７３の湾曲部２７３ｂの後端、下部周囲壁２７２の湾曲部２７２ｂの後端に接することで、押圧部材２６８のこれ以上の前方向への移動が規制されるようになっている。この状態では揚送路２６１の前後幅、すなわち、揚送部材２８０の周面に形成された遊技球が載るらせん状の溝２８２から研磨部材２６２までの間隔が、遊技球の直径より狭くなるようにされている。これにより、揚送路２６１に導入された遊技球が確実に研磨部材２６２に当接するようになっている。
【００８９】
また、上述したように、第１ガイド部材２７２ｃは、案内流路２１２の下流端部と揚送路２６１を挟んで反対側に設けられ、第２ガイド部材２７３ｃは、待機流路２１１の上流端部と揚送路２６１を挟んで反対側に設けられている。よって、押圧部材２６８が付勢される部分は、揚送路２６１における遊技球の流入、流出個所の反対側となる。これにより、案内流路２１２からの遊技球をスムーズに揚送路２６１へ迎え入れることができるとともに、揚送路２６１から遊技球をスムーズに待機流路２１１へ送り出すことができるようになっている。
【００９０】
すなわち、揚送路２６１の後方には、研磨部材２６２を押圧する押圧部材２６８が設けられ、押圧部材２６８は、前後方向に移動可能で付勢部材（圧縮コイルばね２６９）により前方に付勢されるとともに、案内流路２１２の下流端部と揚送路２６１を挟んで反対側に設けられ後方に延出する第１ガイド部材２７２ｃがガイドする第１被ガイド部２６８ｂと、待機流路２１１の上流端部と揚送路２６１を挟んで反対側に設けられ後方に延出する第２ガイド部材２７２ｃがガイドする第２被ガイド部２６８ｃと、を備え、第１被ガイド部２６８ｂと第２被ガイド部２６８ｃとが付勢部材により付勢されていることとなる。
【００９１】
押圧部２６８ａは、その前面が揚送路２６１の後壁をなし、上述のように前方向に付勢されて配されることで、揚送路２６１内の遊技球を前側に配された揚送部材２８０に押し付け、上方への揚送を可能としている。なお、圧縮コイルばね２６９，２６９の付勢力は、遊技球や揚送部材２８０に過度の押圧力がかからない程度の付勢力とされている。なお、押圧部２６８ａの前面は、案内流路２１２、待機流路２１１との接続部分は平面とされて遊技球の受け入れが容易になるようにされ、その間の中央部分は、遊技球を揚送路２６１の中央に保持するように、左右側部が前側に突出するような湾曲した形状とされている。
【００９２】
また、この押圧部２６８ａの前面の前後位置は、第１被ガイド部２６８ｂ、第２被ガイド部２６８ｃが上部周囲壁２７３、下部周囲壁２７２の後端に接して前方向への移動が規制された状態において、左右の側部周囲壁２７４，２７４の後端と略同じ位置にあって、この位置から後方へ移動可能とされている。さらに、この押圧部２６８ａの左右幅は、貫通部分の左右幅よりも若干狭く、側部周囲壁２７４，２７４と左右方向に隙間があくようにされており、この隙間が研磨部材２６２を挿通する開口部２７７，２７７とされている。
【００９３】
このように後壁部材２０２および押圧部材２６８によって形成される揚送路形成部２６４の後側部分における前側の開口には、前壁部材２０１と後壁部材２０２を接合することで揚送路形成部２６４の前側部分に配された揚送部材２８０が面するようになっており、筒状の揚送路２６１が形成されることとなる。なお、この揚送路２６１の上下幅は、封入球循環装置２００の上下幅内に十分収まる幅とされ、封入球循環装置２００の上端部に位置する案内流路２１２の上流側端部と、封入球循環装置２００の下端部近傍に位置する待機流路２１１の下流側端部との上下方向の間隔に収まるように配されている。また、揚送路２６１は、案内流路２１２と待機流路２１１の間に配されていることから、案内流路２１２と待機流路２１１の左右方向の間隔内に配されていることとなる。
【００９４】
図４から６に示すように、研磨部材２６２は、テープ状に形成されたもの（例えば、紙、布）であって、側部周囲壁２７４，２７４の上下幅内に収まる上下幅を有する。この研磨部材２６２は、芯２６３ｂを中心にロール状に巻かれたロール部材２６３として後壁部材２０２の後面に配されている。また、後壁部材２０２の後面であって貫通孔２７０の右側には、このロール部材２６３を回転可能に保持する上下に並んだ一対の保持部２７６，２７６が形成されている。この保持部２７６にはロール部材２６３の芯２６３ｂを挿入可能な挿入孔２７６ａが形成されている。また、上側の保持部２７６に形成された挿入孔２７６ａには、保持部２７６の前端部に開口する誘導孔２７６ｂが連続している。これにより、ロール部材２６３の装着時には、下側の挿入孔２７６ａに芯２６３ｂを挿入した状態で前側に倒すように押し込むことで、誘導孔２７６ｂを通って上側の保持部２７６の挿入孔２７６ａに芯２６３ｂを挿入できるようになっている。なお、誘導孔２７６ｂは、芯２６３ｂの径よりも若干狭く形成されており、挿入孔２７６ａまで芯２６３ｂを押し込めば容易に抜けないようになっている。
【００９５】
上述のように後壁部材２０２の後面に配されたロール部材２６３から引き出された研磨部材２６２は、押圧部材２６８と右側の側部周囲壁２７４との隙間である開口部２７７から揚送路２６１側へ挿入され、押圧部材２６８と左側の側部周囲壁２７４との隙間である開口部２７７から外側へ抜けるように配される。これにより揚送路２６１に面する押圧部２６８ａの前面側が研磨部材２６２で覆われ、上方へ揚送される遊技球が研磨部材２６２の前側の面で磨かれるようになっている。すなわち、研磨部材２６２の揚送路２６１に面する前側の面が遊技球の研磨を行う第１研磨部材２６２ａをなす。
【００９６】
また、この研磨部材２６２は側部周囲壁２７４，２７４の上下幅内に収まる上下幅を有しており、斜め後方流下部２７２ａと斜め前方流下部２７３ａとの間に配される。側部周囲壁２７４，２７４は、これら斜め後方流下部２７２ａと斜め前方流下部２７３ａよりも後方への突出幅が小さいので、斜め後方流下部２７２ａと斜め前方流下部２７３ａとが研磨部材２６２の上下のカバーになり、作業中などに研磨部材２６２が引っかかってとれてしまうことがない。
【００９７】
すなわち、案内流路２１２の下流部には、斜め後方に向けて遊技球を流下させ、下流端部が揚送路２６１の下部に連通する斜め後方流下部２７２ａを形成するとともに、待機流路２１１の上流部には、上流端部が揚送路２６１の上部に連通し、斜め前方に向けて遊技球を流下させる斜め前方流下部２７３ａを形成し、斜め後方流下部２７２ａと斜め前方流下部２７３ａとの間に研磨部材２６２を配設したこととなる。
【００９８】
また、押圧部材２６８と左側の側部周囲壁２７４との隙間である開口部２７７から外側へ抜けた研磨部材２６２は、隣設して配された後述する第２研磨手段３００を通り、巻き取り装置３１０に巻き取られるようになっている。そして、所定期間使用して研磨部材２６２が汚れた場合は、後述するように巻き取り装置３１０で使用済みの研磨部材２６２を巻き取ることで、ロール部材２６３から新しい研磨部材２６２を引き出し、押圧部２６８ａの前面側を覆う研磨部材２６２を新しくすることができる。
【００９９】
すなわち、揚送路２６１の後方に、研磨部材２６２を前方に押圧する押圧部材２６８が設けられ、揚送路２６１は、前方を揚送部材２８０、後方を押圧部材２６８、両側方を左右の側壁（側部周囲壁２７４，２７４）により構成され、該押圧部材２６８は、前後方向に移動可能で弾性部材（圧縮コイルばね２６９，２６９）により前方に付勢されるとともに、押圧部材２６８の左右の側辺と揚送路２６１の左右の側壁との間には、研磨部材２６２が貫通する左右の開口部２７７，２７７が形成され、押圧部材２６８の一側方で案内流路２１２または待機流路２１１の後方に、テープ状に形成された研磨部材２６２をロール状に巻いたロール部材２６３を回転可能に保持する保持部２７６，２７６が形成され、ロール部材２６３から引き出された研磨部材２６２は、一側方の開口部２７７から押圧部材２６８の前方を通り他側方の開口部２７７から他側方に抜けて設置されていることとなる。
【０１００】
以上のように構成される第１研磨手段２６０によって、循環して使用される遊技球が発射装置６０へ移送される途中で磨かれることとなる。遊技球は、発射装置６０から遊技領域へ向かって発射された後、封入球循環装置２００に回収され、左右に蛇行した案内流路２１２を流下する。そして、下流側部分に形成された斜め後方流下部２７２ａおよび誘導リブ２１５によって斜め後方へ誘導され、揚送路２６１の下端部に流入する。
【０１０１】
斜め後方流下部２７２ａを通って揚送路２６１の下端部に至った遊技球は、ここで揚送部材２８０の溝２８２に嵌るとともに、後方から押圧部材２６８によって押圧されて揚送部材２８０に押し付けられる。そして、揚送部材２８０の回転に伴って溝２８２が上方へ移動することに伴い、遊技球は上方へ揚送される。このとき、揚送路２６１の下端部に流入した遊技球は、斜め後方流下部２７２ａに形成された案内流路２１２の流出口と対向するように形成された湾曲部２７２ｂによって上方向に誘導されることにより、確実に揚送路２６１へ導入されるようになっている。
【０１０２】
揚送路２６１内の遊技球は、研磨部材２６２に摺接して磨かれながら上方へ揚送される。上述したように揚送路２６１においては、溝２８２から研磨部材２６２までの間隔が遊技球の直径よりも狭くなるように付勢されており、揚送路２６１の内部に誘導された遊技球には、押圧部２６８ａの前面側を覆うように配された研磨部材２６２が後側から押し付けられるようになる。この状態で揚送部材２８０によって上方へ移送されることで、遊技球の表面が磨かれる。
【０１０３】
このように第１研磨手段２６０によって磨かれて揚送路２６１の上端部に至った遊技球は、湾曲部２７３ｂに沿って後方から見て左側へ誘導されて待機流路２１１に流入する。待機流路２１１と揚送路２６１との接続部分は斜め前方流下部２７３ａによって形成され、この斜め前方流下部２７３ａと誘導リブ２１６によって遊技球は斜め前方へ誘導される。そして、左右に蛇行する待機流路２１１を流下した遊技球は、球送り装置２４０に至り、再び発射装置６０に送られる。
【０１０４】
また、図６，７に示すように、案内流路２１２の下流側部分近傍の底面には、静電気除去部材２９２が設けられている。この静電気除去部材２９２はＬ字形に形成された金属板であって、一方の先端部には案内流路２１２を形成する流路構成部材２０４に係合できるように、コ字状に折り返した係合部２９３が形成されている。
【０１０５】
この静電気除去部材２９２は、前壁部材２０１に形成された前後に貫通する開口２０７の後方から係合部２９３が形成された一端を挿入し、該係合部２９３を流路構成部材２０４の前端に係合させることで取り付けられている。さらに、前壁部材２０１の前面側に配される一端には、図示しないアース線が接続されるようになっている。また、静電気除去部材２９２が配される案内流路２１２の底面には、静電気除去部材２９２の厚みに等しい凹部が形成され、静電気除去部材２９２を配設しても段差ができないようにして遊技球の流下を妨げないようになっている。そして、この静電気除去部材２９２上を遊技球が流下することで、遊技球に帯電していた静電気が除去されるようになっている。このように、遊技球が第１研磨手段２６０に導入される前に静電気を除去することで、静電気により遊技球に付着していたごみなどを効率よく除去できるようになり、より球磨きの効果が高まる。すなわち、第１研磨手段２６０の上流側の循環経路２１０内に、遊技球に接触して当該遊技球に帯電した静電気を除去する静電気除去部材２９２を設けたこととなる。
【０１０６】
また、揚送部材２８０による遊技球の揚送速度は、球送り装置２４０で待機流路２１１内の遊技球が供給流路２４５に送られる供給速度よりも若干速くされ、待機流路２１１で待機する遊技球が不足することがないようにされている。さらに、常に待機流路２１１に所定量の遊技球が待機した状態とするために、待機流路２１１の上流側部分には、その位置における遊技球の有無を検出する待機球検出センサ２１３が設けられている。このような待機球検出センサ２１３を設けることで、待機流路２１１に遊技球が十分に供給されて待機球検出センサ２１３が設けられた位置まで遊技球で満たされ、待機球検出センサ２１３で遊技球の存在を検出した場合は、モータ２８５の駆動を停止する処理がなされて案内流路２１２からの遊技球の揚送が停止される。また、待機流路２１１の遊技球が発射装置６０に供給されて減少し、待機球検出センサ２１３で遊技球の存在を検出しなくなった場合は、モータ２８５を駆動する処理がなされて遊技球が案内流路２１２から揚送されるようになっている。
【０１０７】
すなわち、遊技機本体内に所定数封入した遊技球を、発射位置から遊技領域に発射して遊技を行う一方、遊技を終えた遊技球を回収して発射位置に導いて遊技球を循環使用する循環経路２１０に、遊技球を揚送しながら球を磨く第１研磨手段２６０を備えた封入球式遊技機１００において、循環経路２１０に、遊技を終えた遊技球を回収する球回収部２０３と、球回収部２０３で回収された遊技球を第１研磨手段２６０に流下案内する案内流路２１２と、第１研磨手段２６０により磨かれながら揚送された遊技球を流下させるとともに、発射位置に送られる前の遊技球を所定数宛待機させる待機流路２１１と、待機流路２１１に待機している遊技球を発射位置へ一個宛送球する球送り装置２４０と、を備え、第１研磨手段２６０は、案内流路２１２に下部が連通するとともに、待機流路２１１に上部が連通する揚送路２６１と、揚送路２６１に一部を臨ませ、回転することにより遊技球を揚送する揚送部材２８０と、揚送部材２８０を駆動する駆動源（モータ２８５）と、揚送部材２８０により揚送される遊技球が摺接し、球を磨く研磨部材２６２と、を備え、案内流路２１２と待機流路２１１との左右方向間隔内に揚送路２６１を配設するとともに、案内流路２１２の上端部と待機流路２１１の下端部との上下方向間隔内に揚送路２６１を配設したこととなる。
【０１０８】
また、待機流路２１１の上流部に、所定数の遊技球が待機流路２１１に待機しているか否か検出する待機球検出器（待機球検出センサ２１３）を備え、球送り装置２４０が一個の遊技球を発射位置へ送球する時間よりも、第１研磨手段２６０が一個の遊技球を待機流路２１１に送り出す時間を短く設定し、第１研磨手段２６０は、待機球検出器が所定数の遊技球が待機していることを検出した場合には、駆動源（モータ２８５）の駆動を停止するようにしたこととなる。
【０１０９】
また、遊技機本体内に所定数封入した遊技球を、発射位置から遊技領域に発射して遊技を行う一方、遊技を終えた遊技球を回収して発射位置に導いて遊技球を循環使用する循環経路２１０に、遊技球を揚送しながら球を磨く第１研磨手段２６０を備えた封入球式遊技機１００において、循環経路２１０に、遊技を終えた遊技球を回収する球回収部２０３と、球回収部２０３で回収された遊技球を第１研磨手段２６０に流下案内する案内流路２１２と、第１研磨手段２６０により磨かれながら揚送された遊技球を流下させるとともに、発射位置に送られる前の遊技球を所定数宛待機させる待機流路２１１と、を備え、第１研磨手段２６０は、案内流路２１２に下部が連通するとともに、待機流路２１１に上部が連通する揚送路２６１と、揚送路２６１に一部を臨ませ、回転することにより遊技球を揚送する揚送部材２８０と、揚送部材２８０を回転駆動する駆動源（モータ２８５）と、揚送部材２８０により揚送される遊技球が摺接し、球を磨く研磨部材２６２と、揚送部材２８０と揚送路２６１を挟んで反対側に設けられ、研磨部材２６２を揚送路２６１側に押圧する押圧部材２６８と、を備え、揚送路２６１は、揚送部材２８０と、押圧部材２６８と、左右の側壁（側部周囲壁２７４，２７４）と、から構成され、押圧部材２６８は、前後方向に移動可能で付勢部材（圧縮コイルばね２６９，２６９）により前方に付勢されるとともに、押圧部材２６８の左右の側辺と揚送路２６１の左右の側壁との間には、研磨部材２６２が貫通する左右の開口部２７７，２７７が形成され、研磨部材２６２は、左右の開口部２７７，２７７を貫通して、押圧部材２６８の前方を左右方向に移動可能に設けられ、左右の側壁を、案内流路２１２および待機流路２１１よりも後方に突出させて形成して、揚送路２６１を案内流路２１２及び待機流路２１１より後方側にずらした位置に形成するとともに、押圧部材２６８の前面を左右の側壁の後端よりも後方へ移動可能としたこととなる。
【０１１０】
図２、４，５，８に示すように、前面枠１２０に設けられる封入球循環装置２００の後壁部材２０２の裏面であって、封入球循環装置２００の裏面側から見て第１研磨手段２６０の左側の位置には、メダルを研磨する第２研磨手段３００と、使用済みの研磨部材２６２を巻き取るための巻き取り装置３１０が設けられている。これらの第２研磨手段３００、巻き取り装置３１０は、略矩形板状のベース板３２０上に取り付けられ、このベース板３２０を後壁部材２０２に固定することで封入球循環装置２００に取り付けられている。このベース板３２０の四隅には、後壁部材２０２の裏面に後方へ突出するように形成されたボス状のねじ止め部３２１，３２１，…に対応するように前後に貫通するねじ穴３２２，３２２，…が形成されており、ねじによってベース板３２０を後壁部材２０２の所定位置に固定できるようになっている。
【０１１１】
ベース板３２０の裏面に設けられた第２研磨手段３００は、メダル払出装置１８０のメダル移動路１８３に形成されたメダル研磨開口部１８５から露出するメダルを研磨するもので、研磨部材２６２をメダルに押し付ける押圧板３０１と、押圧板３０１を付勢する付勢部材３０２，３０２とを備えている。
【０１１２】
押圧板３０１は略矩形板状の部材で、ベース板３２０に形成された取付部３２３，３２３に対して長尺なねじ３０３，３０３によって前後動可能に取り付けられ、かつ、付勢部材３０２，３０２によって後方へ付勢された状態となっている。この押圧板３０１の研磨部材２６２と接する後面には弾性部材３０１ａ（例えば、スポンジやゴム）が取り付けられており、研磨部材２６２を確実にメダルに押し付けることができるようになっている。また、ベース板３２０と対向する前面における上下端部の近傍であって、ベース板３２０に形成された取付部３２３，３２３と対向する部分には、押圧板３０１をベース板３２０に取り付けるためのねじ３０３，３０３が螺合するねじ止め部（図示略）が形成されている。
【０１１３】
この押圧板３０１を取り付けるためのベース板３２０に形成された取付部３２３，３２３は、ベース板３２０の裏面に対して垂直に後方へ突出する円柱状をしており、中心部分にベース板３２０の前後に貫通する貫通孔が形成されている。そして、取付部３２３，３２３の貫通孔にベース板３２０の前面側から後方へ向かってねじ３０３，３０３を挿通し、取付部３２３，３２３の後端側から突出する先端を押圧板３０１のねじ止め部に螺合する。
【０１１４】
このねじ３０３，３０３は貫通孔に沿ってスライド可能であり、ねじ３０３，３０３の長さは、取付部３２３，３２３の前後幅と押圧板３０１のねじ止め部に螺合する幅を足した長さよりも所定の長さだけ長くされている。すなわち押圧板３０１は、ねじ３０３，３０３が貫通孔にガイドされて前後移動可能な状態で、ベース板３２０に取り付けられている。
【０１１５】
また、取付部３２３，３２３と押圧板３０１の間には、付勢部材３０２，３０２としての圧縮コイルばねが配設されている。この圧縮コイルばねは、ねじ３０３，３０３を挿通可能な内径を有するとともに、円柱状の取付部３２３，３２３の外径よりも小さい外径を有している。また、外部から力が加わっていない状態での長さ（自然長）は、前後動可能な押圧板３０１が取付部３２３，３２３から最も離れた状態における、押圧板３０１の前面と取付部３２３，３２３の後端との距離よりも長い。
【０１１６】
この圧縮コイルばねは、その中心にねじ３０３，３０３が挿通され、ねじ３０３，３０３の周囲に沿った状態で配設されるようになっていて、伸縮方向がねじ３０３，３０３の延在方向に沿うようになっている。このように配された圧縮コイルばねの一端は取付部３２３，３２３の後端に当接し、他端は押圧板３０１の前面に当接するように配され、押圧板３０１が後方向に付勢された状態となる。これにより押圧板３０１がベース板３２０に対して前後動可能で、かつ、後方向へ押圧された状態で取り付けられることとなる。
【０１１７】
また、ベース板３２０の裏面側から見て、第２研磨手段３００の右側には、前後に貫通するスリット状の開口３２４が形成されている。このスリット状の開口３２４には、第１研磨手段２６０を通った研磨部材２６２が、ベース板３２０の前面側から挿通されるようになっている。そして、スリット状の開口３２４に挿通された研磨部材２６２は、押圧板３０１の後面側を通って第２研磨手段３００の左側に設けられた後述する巻き取り装置３１０で巻き取られるようになっている。
【０１１８】
このように研磨部材２６２が配された第２研磨手段３００は、前面枠１２０を本体枠１１０に対して閉じた状態にすることで、押圧板３０１の後面側に沿って配された研磨部材２６２がメダル研磨開口部１８５に臨むようになっている。すなわち、研磨部材２６２のメダル払出装置１８０のメダル研磨開口部１８５に臨む面が第２研磨部材２６２ｂをなす。なお、研磨部材２６２において、研磨部材２６２のメダル払出装置１８０のメダル研磨開口部１８５に臨む第２研磨部材２６２ｂは、揚送路２６１に面し、遊技球を研磨する第１研磨部材２６２ａとは反対の面である。すなわち、研磨部材２６２の一方の面が第１研磨部材２６２ａをなし、他方の面が第２研磨部材２６２ｂをなしている。
【０１１９】
また押圧板３０１は、前面枠１２０を閉鎖した状態におけるベース板３２０に対する前後位置よりも、前面枠１２０を開放した状態におけるベース板３２０に対する前後位置の方が後方に位置するように前後の移動範囲が設定されている。これにより、前面枠１２０を閉鎖することで、押圧板３０１が付勢部材３０２，３０２の付勢力に抗して前側に押し込まれ、押圧板３０１の後面側に沿って配された研磨部材２６２がメダル研磨開口部１８５から露出するメダルに押し付けられることとなる。さらに、押圧板３０１の後面には弾性部材３０１ａが設けられており、研磨部材２６２がメダル研磨開口部１８５から露出するメダルに確実に押し付けられることとなる。これにより、メダルを確実に研磨することができるようになっている。また、第２研磨手段３００は、前面枠１２０を本体枠１１０に対して開放した状態にすることで、押圧板３０１の後面側に沿って配された研磨部材２６２がメダル研磨開口部１８５から離隔するようになっている。
【０１２０】
さらに、図８（ａ）に示すように、メダル研磨開口部１８５の下端部からその下方の所定範囲は、メダル移動路１８３の外側面（前面）に中央の空間へ向かって傾斜する傾斜面１８５ａが形成され、この部分がテーパ状に形成されている。そして、このメダル研磨開口部１８５の下端部を覆うように配される押圧板３０１の下端部にも、メダル移動路１８３の外側面に形成された傾斜面１８５ａとちょうど密着するように、傾斜面３０１ｂが形成されている。さらに、押圧板３０１を覆うように配される研磨部材２６２の下端は、この傾斜面３０１ｂにかかるように配されている。このような構成により、図８（ｂ）に示すように、前面枠１２０を閉鎖して押圧板３０１がメダル研磨用開口１８５に密着する状態とすると、押圧板３０１の傾斜面３０１ｂとメダル研磨開口部１８５の傾斜面１８５ａとの間に研磨部材２６２の下端が挟まれるようになる。そしてこれにより、メダル移動路１８３を上方へ向かって移動するメダルＭが、研磨部材２６２の下端に引っかかることなく円滑に移動できるようになる。
【０１２１】
以上のことから、メダルを投入することを条件に、遊技機内部空間に封入された遊技球を用いて遊技を行い、遊技結果が予め定められた特定結果になった場合に、賞としてメダルを払い出す遊技機１００において、封入球に当接させることで封入球の研磨を行う第１研磨部材２６２ａを有する第１研磨手段２６０と、メダルに当接させることでメダルの研磨を行う第２研磨部材２６２ｂを有する第２研磨手段３００と、が一体に設けられていることとなる。
【０１２２】
また、第１研磨部材２６２ａと第２研磨部材２６２ｂとを一つの研磨部材２６２により構成したこととなる。
【０１２３】
また、研磨部材２６２の一方の面が封入球を研磨し、研磨部材２６２の他方の面がメダルを研磨するようにしたこととなる。
【０１２４】
また、遊技機１００は、本体枠１１０と、該本体枠１１０に開閉可能に取り付けられる前面枠１２０と、を備え、本体枠１１０に、メダルを一列に整列させて移動するメダル移動路１８３を有するメダル払出装置１８０を備え、前面枠１２０に、封入球を発射位置から遊技領域に発射して遊技を行う一方、遊技を終えた封入球を回収して発射位置に導いて遊技球を循環使用する循環経路２１０と、第１研磨手段２６０と、第２研磨手段３００と、を備え、前面枠１２０が本体枠１１０に対して閉状態で、第２研磨部材２６２ｂとメダル移動路１８３内のメダルとが当接し、前面枠１２０が本体枠１１０に対して開状態で、第２研磨部材２６２ｂとメダル移動路１８３内のメダルとが離隔するように構成したこととなる。
【０１２５】
ベース板３２０の裏面側から見て、第２研磨手段３００の左側には、使用済みの研磨部材２６２を巻き取るための巻き取り装置３１０が設けられている。すなわち、後壁部材２０２の後面には右側から順に、ロール部材２６３を保持する保持部２７６，２７６、第１研磨手段２６０、第２研磨手段３００、巻き取り装置３１０が一直線上に並んで配設されている。そして、ロール部材２６３から引き出されたテープ状の研磨部材２６２は、第１研磨手段２６０と第２研磨手段３００とを経由して巻き取り装置３１０で巻き取られるようになっている。
【０１２６】
この巻き取り装置３１０は、使用済みの研磨部材２６２を巻きつける芯３１１と、この芯３１１の上下端部を回動可能に保持する、ベース板３２０の裏面側に形成された保持部３１２，３１２を有する。そして、芯３１１が研磨部材２６２の延在方向に対して垂直、かつ、後壁部材２０２の後面と平行に配されるようになっていて、第１研磨手段２６０、第２研磨手段３００を通った研磨部材２６２を巻き取り可能となっている。さらに、下側の保持部３１２の下部には、芯３１１を回転駆動するモータ３１３が配されている。このモータ３１３は、ベース板３２０に形成された取付ベース３１４に取り付けられることで配されており、駆動軸３１５と芯３１１とが互いの中心軸が一致するように接続されている。これにより、モータ３１３を駆動することで芯３１１が回転し、研磨部材２６２が巻き取られるようになっている。
【０１２７】
この巻き取り装置３１０のモータ３１３は、封入球循環装置２００を制御する枠制御装置８０に備えられた巻き取りモータ制御手段３３０（駆動制御手段）によって制御されている。
【０１２８】
図９に示すように、この巻き取りモータ制御手段３３０には、前面枠開放検出器３３１、メダル排出センサ３３２、発射球センサ３３３からの信号が入力されるようになっている。前面枠開放検出器３３１は、本体枠１１０に対して前面枠１２０が開放されている状態において検出信号を出力するようになっており、巻き取りモータ制御手段３３０ではこの検出信号を監視することで、前面枠１２０の状態を検出できるようになっている。メダル排出センサ３３２は、メダル移動路１８３の下流側端部に設けられており（図示略）、メダルの通過毎に検出信号を出力するようになっている。巻き取りモータ制御手段３３０ではこの検出信号をカウントすることで、第２研磨手段３００を通過したメダルの枚数を監視できるようになっている。発射球センサ３３３は、上述したように、供給流路２４５を流下する遊技球を検出する供給球検出センサ２４６がその機能を果たすものであって、遊技球の通過毎に検出信号を出力するようになっている。巻き取りモータ制御手段３３０ではこの検出信号をカウントすることで、第１研磨手段２６０を通過した遊技球の枚数を監視できるようになっている。
【０１２９】
そして、巻き取りモータ制御手段３３０は、前面枠１２０の閉鎖を検出した際にモータ３１３を動作させ、押圧板３０１がベース板３２０に対して前方向に移動することによる研磨部材２６２のたるみを解消する制御を行うようになっている。また、巻き取りモータ制御手段３３０は、所定数の遊技球もしくは所定数のメダルが通過した場合に、巻き取りモータ３１３を動作させ、研磨部材２６２を更新する制御を行うようになっている。
【０１３０】
また、巻き取りモータ制御手段３３０は、例えば、巻き取りモータの回転数から巻き取った使用済みの研磨部材の長さを検出し、ロール部材２６３に巻き取られている未使用の研磨部材２６２がなくなった場合に交換報知手段３３４により報知する制御を行う。この交換報知手段３３４は、例えば、遊技機外部の管理装置に対して研磨部材２６２が無くなったことに関する情報を出力する処理を行い、係員に報知するようになっている。その他、巻き取りモータ制御手段３３０は、所定時間ごとに研磨部材２６２を巻き取って更新するようにしても良いし、係員の操作に基づき更新するようにしても良い。
【０１３１】
すなわち、揚送路２６１の後方に、研磨部材２６２を前方に押圧する押圧部材２６８が設けられ、揚送路２６１は、前方を揚送部材２８０、後方を押圧部材２６８、両側方を左右の側壁（側部周囲壁２７４，２７４）により構成され、押圧部材２６８は、前後方向に移動可能で弾性部材（圧縮コイルばね２６９，２６９）により前方に付勢されるとともに、押圧部材２６８の左右の側辺と揚送路２６１の左右の側壁との間には、研磨部材２６２が貫通する左右の開口部２７７，２７７が形成され、押圧部材２６８の一側方で案内流路２１２または待機流路２１１の後方に、テープ状に形成された研磨部材２６２をロール状に巻いたロール部材２６３を回転可能に保持する保持部２７６，２７６が形成され、押圧部材２６８の他側方には、ロール部材２６３から引き出され、一側方の開口部２７７から押圧部材２６８の前方を通り他側方の開口部２７７から他側方に抜けた研磨部材２６２を巻き取る巻き取り装置３１０が設けられ、巻き取り装置３１０は、揚送路２６１を通る球数に基づいて、研磨部材２６２を巻き取るようにしたこととなる。
【０１３２】
以上のことから、第１研磨部材２６２ａおよび第２研磨部材２６２ｂはテープ状に形成され、未使用の第１研磨部材２６２ａおよび第２研磨部材２６２ｂをロール状に巻いたロール部材２６３を回転可能に保持する保持部２７６，２７６と、使用済みの第１研磨部材２６２ａおよび第２研磨部材２６２ｂを巻き取る巻き取り装置３１０と、を備え、保持部２７６，２７６と巻き取り装置３１０の間で第１研磨手段２６０および第２研磨手段３００が研磨を行うようにしたこととなる。
【０１３３】
また、前面枠１２０の開状態を検出する開状態検出手段（前面枠開放検出器３３１）と、第２研磨部材２６２ｂを移動させる巻き取り装置３１０と、巻き取り装置３１０を駆動制御する駆動制御手段（巻き取りモータ制御手段３３０）と、を備え、第２研磨手段３００は、第２研磨部材２６２ｂをメダルに押圧するための押圧部材（押圧板３０１）を、前後方向に移動可能で付勢部材３０２，３０２により後方に付勢して設け、駆動制御手段は、開状態検出手段により前面枠１２０が開状態から閉状態になったことを検出した場合に、巻き取り装置３１０を作動させるようにしたこととなる。
【０１３４】
なお、以上の実施形態の封入球式遊技機１００においては、揚送部材２８０は、スパイラル歯車状の部材としたが、ベルトやスプロケット等を備えるものとしても良い。
また、研磨部材２６２は、テープ状に形成され、遊技球の汚れを拭き取って磨くものであれば、布、紙に限られずなんでもよい。
また、弾性部材、付勢部材として圧縮コイルばね２６９を用いたがこれに限られるものではなく、他の種類のばねやゴムなどの弾性を有するものであれば良い。
また、巻き取り装置３１０により使用済みの研磨部材２６２を巻き取るとしたが、研磨部材２６２に所定の間隔でミシン目を入れ、ミシン目が入った部分が第２研磨手段３００を越えるまで引き出して切り取ることで容易に使用済みの部分を処分できるようにしても良い。
【０１３５】
また、メダル移動路１８３の前側の面にのみメダル研磨開口部１８５を形成したが、これと対向するメダル移動路１８３の後側の面にもメダル研磨開口部を形成し、図３に示すように、このメダル研磨開口部（図示略）を覆うように研磨部材３７０を配しても良い。このようにすれば，メダルの両面を同時に研磨することができる。
【０１３６】
次に、以上のような遊技機の変形例について図１０，１１を参照して説明する。なお、上述の実施形態の遊技機と同様の構成を有する部分については同じ符号を付して説明を省略する。本変形例の遊技機は、前面枠１２０に設けられていた封入球循環装置２００に替えて、本体枠１１０に封入球揚送装置３５０を備えている。
【０１３７】
封入球揚送装置３５０は、メダル払出装置１８０の前側に設けられており、発射装置６０から発射されて回収された遊技球が流入する流入口３５１と、該流入口３５１から受け入れた遊技球を送出する揚送手段３５２と、該揚送手段３５２から送出された遊技球を前面枠１２０に設けられた図示しない流路に誘導する封入球揚送路３５３を有する。
【０１３８】
流入口３５１には、各種の入賞口（例えば、特別変動入賞装置、一般入賞口、普通変動入賞装置）に入賞することなく流下したアウト球、各種の入賞口に入賞し、セーフ球排出経路を流下したセーフ球としての遊技球が流入するようになっている。また、発射されたにもかかわらず遊技領域に至らずに戻ってきたファール球も流入するようになっている。また、揚送手段３５２は、内部に受け入れた遊技球を送出するための揚送部材３５４を備え、図示しない駆動源により揚送部材３５４を回転駆動することで遊技球を封入球揚送路３５３に送出するようになっている。
【０１３９】
封入球揚送路３５３は、内部に遊技球を通過可能な空間を有する筒状の部材である。この遊技球が通過可能な空間は、遊技球が一列に移動可能となるように、遊技球の直径と略同じ前後幅、左右幅を有する断面形状を有している。また、封入球揚送路３５３は上流側部分が上方へ向かって直線状に延出するとともに、下流側が円弧状に屈曲し、かつ、下流側端部が最も前側に位置するように、斜め前方へねじれるように形成されており、全体として略Ｊ字型に形成されている。そして、封入球揚送路３５３の下流側端部は、本体枠１１０に対して前面枠１２０を閉じた状態とすると、ちょうど前面枠１２０に設けられた図示しない流路に接続するようになっている。すなわち、封入球揚送路３５３は、封入球を、発射位置から遊技盤１の遊技領域に発射して遊技を行う一方、遊技を終えた封入球を回収して発射位置に導いて封入球を循環使用する循環経路の一部をなす。
【０１４０】
また、封入球揚送路３５３の上方へ延出する直線部分は、メダル払出装置１８０から排出されるメダルが移動するメダル移動路１８３（メダル揚送路）の上方へ延出する直線部分と所定の間隔をおいて前後に重なるように配されている。さらに、メダル移動路１８３には封入球揚送路３５３と対向する面に、メダル研磨開口部１８５が形成されており、メダル移動路１８３を移動するメダルの一部が外部に露出するようになっている。また、封入球揚送路３５３には、メダル移動路１８３と対向する面に、封入球研磨開口部３５５が形成されており、封入球揚送路３５３を移動する遊技球の一部が外部に露出するようになっている。
【０１４１】
このメダル移動路１８３と封入球揚送路３５３の間には、メダル移動路１８３を移動するメダルおよび封入球揚送路３５３を移動する遊技球を研磨するための押圧ユニット３６０が嵌め込まれている。この押圧ユニット３６０は、遊技球を研磨する第１研磨部材２６２ａを押圧する第１押圧部材３６１と、メダルを研磨する第２研磨部材２６２ｂを押圧する第２押圧部材３６２と、第１押圧部材３６１と第２押圧部材３６２を互いに離隔する方向に付勢する付勢部材３６３，３６３，…としての圧縮コイルばねとを有する。
【０１４２】
第１押圧部材３６１は、封入球揚送路３５３に形成された封入球研磨開口部３５５を覆うことのできる大きさの板状の部材で、封入球揚送路３５３に面する側の面は、遊技球の形状に合わせた曲面とされている。また、第２押圧部材３６２は、メダル移動路１８３に形成されたメダル研磨開口部１８５を覆うことのできる大きさの板状の部材である。この第１押圧部材３６１と第２押圧部材３６２は、封入球揚送路３５３に面する面とメダル移動路１８３に面する面が互いに外側を向くように、付勢部材３６３，３６３，…を介して連結されている。
【０１４３】
さらに、このように連結された第１押圧部材３６１と第２押圧部材３６２の一側部には、付勢部材３６３，３６３，…の付勢力に抗して、第１押圧部材３６１と第２押圧部材３６２とを近づけるように操作するための操作部３６４，３６４，…が、外側に延出するように形成されている。このように第１押圧部材３６１と第２押圧部材３６２とが付勢部材３６３，３６３，…を介して連結された押圧ユニット３６０は、外部から力が加わっていない状態では、その伸縮方向に沿った幅が封入球揚送路３５３とメダル移動路１８３の間の幅よりも広くなるようにされている。
【０１４４】
このような構成を有する押圧ユニット３６０は、第１押圧部材３６１の封入球揚送路３５３に面する面に第１研磨部材２６２ａを配設し、第２押圧部材３６２のメダル移動路１８３に面する面に第２研磨部材２６２ｂを配設した状態で、封入球揚送路３５３とメダル移動路１８３の間に取り付けるようになっている。この第１研磨部材２６２ａと第２研磨部材２６２ｂは、図１１（ｂ）に示すように、一枚の研磨部材２６２が第１研磨部材２６２ａと第２研磨部材２６２ｂとを兼ねるように、押圧ユニット３６０を覆うように配設される。
【０１４５】
押圧ユニット３６０を封入球揚送路３５３とメダル移動路１８３の間に取り付ける際には、操作部３６４，３６４，…をつまんで付勢部材３６３，３６３，…の付勢力に抗して第１押圧部材３６１と第２押圧部材３６２とを近づけ、押圧ユニット３６０の伸縮方向の幅を、封入球揚送路３５３とメダル移動路１８３の間の幅より狭める。そして、この状態で封入球揚送路３５３とメダル移動路１８３の間に嵌め込み手を離す。これにより、付勢部材３６３，３６３，…の付勢力によって封入球揚送路３５３に面する面に配された第１研磨部材２６２ａが遊技球Ｂに押し付けられるとともに、メダル移動路１８３に面する面に配された第２研磨部材２６２ｂがメダルＭに押し付けられることとなり、メダルＭ、遊技球Ｂが確実に研磨されるようになる。また、研磨部材２６２を交換する際には、これと逆の作業を行えば容易に交換することができる。
【０１４６】
なお、排出装置１８２から斜め前方へ向かって延在するメダル移動路１８３が上方へ向かって曲がる湾曲部に、メダル研磨開口部１８５の下端が位置している。そして、第２押圧部材３６２のメダル移動路１８３に面する面は、メダル研磨開口部１８５の下端部よりも下方に延出した状態でメダル研磨開口部１８５を覆い、第２研磨部材２６２ｂの下端もメダル研磨開口部１８５の下端より下側に位置するようになっている。これにより、メダル移動路１８３を上方へ向かって移動するメダルＭが、第２研磨部材２６２ｂの下端に引っかかることなく円滑に移動できるようになる。すなわち、研磨部材２６２の下部が、メダル移動路１８３の湾曲部に位置するようにしたこととなる。
【０１４７】
以上のことから、遊技機１００は、本体枠１１０と、該本体枠１１０に開閉可能に取り付けられ、遊技盤１を着脱可能な前面枠１２０と、からなり、且つ、封入球を、発射位置から遊技盤１の遊技領域に発射して遊技を行う一方、遊技を終えた封入球を回収して発射位置に導いて封入球を循環使用する循環経路を備え、本体枠１１０に、循環経路２１０の一部を構成し、封入球を揚送する封入球揚送路３５３を有する封入球揚送装置３５０と、メダルを揚送するメダル揚送路（メダル移動路１８３）を有するメダル払出装置１８０と、を備え、封入球揚送路３５３とメダル揚送路（メダル移動路１８３）を隣接させて配設し、第１研磨部材２６２ａを押圧する第１押圧部材３６１と、第２研磨部材２６２ｂを押圧する第２押圧部材３６２とを互いに離隔する方向に付勢部材３６３，３６３，…により付勢する押圧ユニット３６０を構成し、封入球揚送路３５３とメダル揚送路（メダル移動路１８３）との間に、第１研磨部材２６２ａと第２研磨部材２６２ｂと押圧ユニット３６０とを嵌め込むようにしたこととなる。
【０１４８】
なお、一枚の研磨部材２６２で第１研磨部材２６２ａと第２研磨部材２６２ｂとを兼ねる構成としたが、例えば、第１押圧部材３６１、第２押圧部材３６２にそれぞれ研磨部材を装着する溝を設け、それぞれの溝に別々の研磨部材を装着するようにしても良い。また、上述の実施形態と同様に自動で研磨部材２６２を交換できるような構成を有するものとしても良い。さらに、一枚の研磨部材２６２の同じ面が第１研磨部材２６２ａと第２研磨部材２６２ｂをなすようにしたが、一方の面が第１研磨部材２６２ａをなし、他方の面が第２研磨部材２６２ｂをなすようにしても良い。
【０１４９】
以上のような遊技機１００は、メダルを投入することを条件に、遊技機内部空間に封入された遊技球を用いて遊技を行い、遊技結果が予め定められた特定結果になった場合に、賞としてメダルを払い出す遊技機１００であって、封入球に当接させることで封入球の研磨を行う第１研磨部材２６２ａを有する第１研磨手段２６０と、メダルに当接させることでメダルの研磨を行う第２研磨部材２６２ｂを有する第２研磨手段３００と、が一体に設けられている。
【０１５０】
したがって、封入球の研磨を行う第１研磨部材２６２ａを有する第１研磨手段２６０と、メダルの研磨を行う第２研磨部材２６２ｂを有する第２研磨手段３００と、が一体に設けられているので、労力を掛けずに封入球とメダルをきれいに保つことができる。また、第１研磨部材２６２ａの交換と第２研磨部材２６２ｂの交換が一度に行え、交換作業の効率が向上する。
【０１５１】
また、遊技機１００は、本体枠１１０と、該本体枠１１０に開閉可能に取り付けられる前面枠１２０と、を備え、本体枠１１０に、メダルを一列に整列させて移動するメダル移動路１８３を有するメダル払出装置１８０を備え、前面枠１２０に、封入球を発射位置から遊技領域に発射して遊技を行う一方、遊技を終えた封入球を回収して発射位置に導いて遊技球を循環使用する循環経路２１０と、第１研磨手段２６０と、第２研磨手段３００と、を備え、前面枠１２０が本体枠１１０に対して閉状態で、第２研磨部材２６２ｂとメダル移動路１８３内のメダルとが当接し、前面枠１２０が本体枠１１０に対して開状態で、第２研磨部材２６２ｂとメダル移動路１８３内のメダルとが離隔するように構成している。
【０１５２】
したがって、前面枠１２０が閉状態で第２研磨部材２６２ｂとメダルとが当接し、前面枠１２０が開状態で第２研磨部材２６２ｂメダルとが離隔するように構成したので、前面枠１２０を開状態にすることにより、研磨部材２６２の交換が容易にでき、交換作業の効率が向上する。
【０１５３】
また、第１研磨部材２６２ａおよび第２研磨部材２６２ｂはテープ状に形成され、未使用の第１研磨部材２６２ａおよび第２研磨部材２６２ｂをロール状に巻いたロール部材２６３を回転可能に保持する保持部２７６，２７６と、使用済みの第１研磨部材２６２ａおよび第２研磨部材２６２ｂを巻き取る巻き取り装置３１０と、を備え、保持部２７６，２７６と巻き取り装置３１０の間で第１研磨手段２６０および第２研磨手段３００が研磨を行うようにしている。
【０１５４】
したがって、第１研磨部材２６２ａおよび第２研磨部材２６２ｂはテープ状に形成され、未使用の第１研磨部材２６２ａおよび第２研磨部材２６２ｂをロール状に巻いたロール部材２６３を回転可能に保持する保持部２７６，２７６と、使用済みの第１研磨部材２６２ａおよび第２研磨部材２６２ｂを巻き取る巻き取り装置３１０とを備えるので、研磨部材２６２を容易に交換でき、交換作業の効率が向上する。
【０１５５】
また、前面枠１２０の開状態を検出する開状態検出手段（前面枠開放検出器３３１）と、第２研磨部材２６２ｂを移動させる巻き取り装置３１０と、巻き取り装置３１０を駆動制御する駆動制御手段（巻き取りモータ制御手段３３０）と、を備え、第２研磨手段３００は、第２研磨部材２６２ｂをメダルに押圧するための押圧部材（押圧板３０１）を、前後方向に移動可能で付勢部材３０２，３０２により後方に付勢して設け、駆動制御手段は、開状態検出手段により前面枠１２０が開状態から閉状態になったことを検出した場合に、巻き取り装置３１０を作動させるようにしている。
【０１５６】
したがって、第２研磨手段３１０は、第２研磨部材２６２ｂをメダルに押圧するための押圧部材を、前後方向に移動可能で付勢部材３０２，３０２により後方に付勢して設けているので、確実にメダルを磨くことができる。また、駆動制御手段は、開状態検出手段により前面枠１２０が開状態から閉状態になったことを検出した場合に巻き取り装置３１０を作動させるので、押圧部材２６８の前後動に伴って発生する研磨部材２６２のたるみを解消でき、メダルが詰まることを防止できる。
【０１５７】
また、遊技機１００は、本体枠１１０と、該本体枠１１０に開閉可能に取り付けられ、遊技盤１を着脱可能な前面枠１２０と、からなり、且つ、封入球を、発射位置から遊技盤１の遊技領域に発射して遊技を行う一方、遊技を終えた封入球を回収して発射位置に導いて封入球を循環使用する循環経路を備え、本体枠１１０に、循環経路２１０の一部を構成し、封入球を揚送する封入球揚送路３５３を有する封入球揚送装置３５０と、メダルを揚送するメダル揚送路（メダル移動路１８３）を有するメダル払出装置１８０と、を備え、封入球揚送路３５３とメダル揚送路を隣接させて配設し、第１研磨部材２６２ａを押圧する第１押圧部材３６１と、第２研磨部材２６２ｂを押圧する第２押圧部材３６２とを互いに離隔する方向に付勢部材３６３，３６３，…により付勢する押圧ユニット３６０を構成し、封入球揚送路３５３とメダル揚送路との間に、第１研磨部材２６２ａと第２研磨部材２６２ｂと押圧ユニット３６０とを嵌め込むようにしている。
【０１５８】
したがって、封入球揚送路３５３とメダル揚送路（メダル移動路１８３）を隣接させて配設し、第１研磨部材２６２ａを押圧する第１押圧部材２６２ａと、第２研磨部材２６２ｂを押圧する第２押圧部材２６２ｂとを互いに離隔する方向に付勢部材３６３，３６３，…により付勢する押圧ユニット３６０を構成し、封入球揚送路３５３とメダル揚送路との間に、第１研磨部材２６２ａと第２研磨部材２６２ｂと押圧ユニット３６０とを（付勢部材３６３，３６３，…の付勢力に抗して第１押圧部材２６２ａと第２押圧部材２６２ｂとを近づけて、）嵌め込むようにしたので、第１研磨部材２６２ａを遊技球に第２研磨部材２６２ｂをメダルに確実に当接できる。また、第１研磨部材２６２ａと第２研磨部材２６２ｂは、押圧ユニット３６０により嵌め込んでいるので、簡単な操作で研磨部材２６２の着脱ができる。
【０１５９】
また、第１研磨部材２６２ａと第２研磨部材２６２ｂとを一つの研磨部材２６２により構成している。
【０１６０】
したがって、第１研磨部材２６２ａと第２研磨部材２６２ｂとを一つの研磨部材２６２により構成したので、一つの研磨部材２６２を交換することで両方の研磨部材２６２を交換でき、研磨部材２６２の交換作業の効率が向上する。
【０１６１】
また、研磨部材２６２の一方の面が封入球を研磨し、研磨部材２６２の他方の面がメダルを研磨するようにしている。
【０１６２】
したがって、研磨部材２６２の一方の面が封入球を研磨し、研磨部材２６２の他方の面がメダルを研磨するようにしたので、研磨部材２６２を有効に使用できる。また、研磨部材２６２の交換頻度を長くできる。
【０１６３】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１６４】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６５】
【図１】本発明を適用した一実施の形態の構成を示す遊技機の正面図である。
【図２】遊技機の裏面図である。
【図３】（ａ）本体枠の正面図、（ｂ）本体枠の側部断面図である。
【図４】封入球循環装置の裏面側から見た斜視図である。
【図５】封入球循環装置の裏面側から見た図であって、第２研磨手段を備えたベース板を取り外した分解斜視図である。
【図６】封入球循環装置の裏面側から見た分解斜視図である。
【図７】封入球循環装置の後壁部材を取り外した様子を示す裏面図である。
【図８】第２研磨手段とメダル移動路の位置関係を説明するための図であって、（ａ）本体枠に対し前面枠を開放した状態、（ｂ）本体枠に対し前面枠を閉鎖した状態を示す図である。
【図９】巻き取りモータ制御手段を説明するためのブロック図である。
【図１０】変形例にかかる遊技機の本体枠を示す図であって、（ａ）正面図、（ｂ）側部断面図である。
【図１１】変形例にかかる遊技機のメダル排出装置を示す図であって、（ａ）封入球揚送路、メダル揚送路、押圧ユニットが配された部分の側部断面図、（ｂ）押圧ユニットに対する研磨部材の取り付けの様子を示す図である。
【符号の説明】
【０１６６】
１００    遊技機（封入球式遊技機）
１１０    本体枠
１２０    前面枠
１８０    メダル払出装置
１８３    メダル移動路（メダル揚送路）
２１０    循環経路
２６０    第１研磨手段
２６２    研磨部材
２６２ａ  第１研磨部材
２６２ｂ  第２研磨部材
２６３    ロール部材
２６８    押圧部材
２６９    付勢部材
２７６    保持部
３００    第２研磨手段
３０１    押圧板（押圧部材）
３０２    付勢部材
３１０    巻き取り装置
３３０    巻き取りモータ制御手段３３０（駆動制御手段）
３３１    前面枠開放検出器（開状態検出手段）
３５０    封入球揚送装置
３５３    封入球揚送路
３６０    押圧ユニット
３６１    第１押圧部材
３６２    第２押圧部材
３６３    付勢部材
【図１】
2008136540.tif 000003
【図２】
2008136540.tif 000004
【図３】
2008136540.tif 000005
【図４】
2008136540.tif 000006
【図５】
2008136540.tif 000007
【図６】
2008136540.tif 000008
【図７】
2008136540.tif 000009
【図８】
2008136540.tif 000010
【図９】
2008136540.tif 000011
【図１０】
2008136540.tif 000012
【図１１】
2008136540.tif 000013